(57)【要約】無線通信システムにおいて、サービング基地局は、いずれかがユーザ装置（ＵＥ）からのアップリンク上でチャネル品質インジケータ（ＣＱＩ）チャネル及び肯定応答（Ａｃｋ）チャネルを伝送することのできる、データのためのトラヒック・チャネル及びオーバーヘッド・チャネルに関する閉及びアウタパワー制御を行なう。典型的な態様において、データ・パケット通信は３ＧＰＰ ＬＴＥ Ｒｅｌ ８においてインプリメントされ、ここにおいて該アップリンクは単一キャリア周波数分割多重化（ＳＣ−ＦＤＭ）アップリンク波形を有する。該ＵＥは、基準信号として記号当りの受信されたエネルギを使用して送信パワー・スペクトル密度値を決定することにより開ループ・パワー制御を行なう。【選択図】図１
2012501602.tif 000002
【特許請求の範囲】
【請求項１】
下記を備える、無線通信システムにおいてアップリンクを送信する方法、
下記の複数の動作をインプリメントするためにコンピュータ可読記憶媒体上に格納された、コンピュータ実行可能な複数の命令を実行するプロセッサを使用すること、
基準信号をダウンリンク上で受信すること、
該基準信号のための記号当りの受信されたエネルギを使用することにより送信パワー・スペクトル密度値を決定すること、
該送信パワー・スペクトル密度値に基づいてトラヒック・チャネル及びオーバーヘッド・チャネルのアップリンクに関する開ループ・パワー制御を行なうこと、
該オーバーヘッド・チャネルあるいは該トラヒック・チャネルのいずれか上での開ループ・パワー制御によって決定された該送信パワー・スペクトル密度値に依存するチャンネル品質フィードバックを送信すること。
【請求項２】
ユーザ装置に関するアップリンク受信パワー・スペクトル密度（ＲｘＰＳＤul）値と、サービング・ノードに関するダウンリンク送信パワー・スペクトル密度（ＴｘＰＳＤDL）値と、該サービング・ノードにおける雑音指数（ＮＦNodeB）と、及び該サービング・ノードにおける雑音オーバー（（ＮｏＷ）NodeB）指数とを合計したものから、該サービング・ノードにおけるアップリンクの干渉オーバー熱雑音（ＩｏＴ）値を引いたものに等しいように決定された開ループ調節値に基づいて開ループ・パワー制御を行なうことをさらに備える、請求項１記載の方法、
【請求項３】
下記をさらに備える、請求項１記載の方法、
アウタ・ループ・パワー制御を行なうことに応じて該チャネル品質フィードバックを伝送するトラヒック・チャネル及びオーバーヘッド・チャネルのうちの選択された１つのものの送信パワーを調節するためにノードからコマンドを受信すること、ここにおいて、該ノードは該チャネル品質フィードバックに関する検出信頼値を決定し、該検出信頼値を目標に維持するために該トラヒック・チャネル及びオーバーヘッド・チャネルのうちの該決定された１つのものに関するアウタ・ループ・パワー制御を行なう、
開ループ・パワー制御によって決定された該送信パワー・スペクトル密度値に部分的に依存する該トラヒック・チャネルまたは該オーバーヘッド・チャネルのうちの該選択された１つのものの上で該チャンネル品質フィードバックを送信すること。
【請求項４】
無線通信システムにおいてアップリンクを送信するためのコンピュータ・プログラム製品、該コンピュータ・プログラム製品は下記を具備する、
少なくとも１つのプロセッサによって実行されるとき、下記の複数のコンポーネントをインプリメントするコンピュータ実行可能な複数の命令を格納する少なくとも１つのコンピュータ可読記憶媒体、
ダウンリンク上で基準信号を受信するための複数のコードの第１のセット、
該基準信号のための記号当りの受信されたエネルギを使用することにより送信パワー・スペクトル密度値を決定するための複数のコードの第２のセット、
該送信パワー・スペクトル密度値に基づいてトラヒック・チャネル及びオーバーヘッド・チャネルのアップリンクに関する開ループ・パワー制御を行なうための複数のコードの第３のセット、
該オーバーヘッド・チャネルあるいは該トラヒック・チャネルのいずれか上で開ループ・パワー制御によって決定された該送信パワー・スペクトル密度値に依存するチャンネル品質フィードバックを送信するための複数のコードの第４のセット。
【請求項５】
無線通信システムにおいてアップリンクを送信するための装置、該装置は下記を具備する、
少なくとも１つのプロセッサ、
該少なくとも１つのプロセッサによって実行されるとき、下記の複数のコンポーネントをインプリメントする、コンピュータ実行可能な複数の命令を格納する少なくとも１つのコンピュータ可読記憶媒体、
ダウンリンク上で基準信号を受信するための手段、
該基準信号のための記号当りの受信されたエネルギを使用することにより送信パワー・スペクトル密度値を決定するための手段、
該送信パワー・スペクトル密度値に基づいてトラヒック・チャネル及びオーバーヘッド・チャネルのアップリンクに関する開ループ・パワー制御を行なうための手段、
該オーバーヘッド・チャネルあるいは該トラヒック・チャネルのいずれか上で開ループ・パワー制御によって決定された該送信パワー・スペクトル密度値に依存するチャンネル品質フィードバックを送信するための手段。
【請求項６】
無線通信システムにおいてアップリンクを送信するための装置、該装置は下記を具備する、
ダウンリンク上で基準信号を受信する受信機、
該基準信号のための記号当りの受信されたエネルギを使用することにより送信パワー・スペクトル密度値を決定し、該送信パワー・スペクトル密度値に基づいてトラヒック・チャネル及びオーバーヘッド・チャネルのアップリンクに関する開ループ・パワー制御を行なうコンピューティング・プラットフォーム、
該オーバーヘッド・チャネルあるいは該トラヒック・チャネルのいずれか上で開ループ・パワー制御によって決定された該送信パワー・スペクトル密度値に依存するチャンネル品質フィードバックを送信する送信機。
【請求項７】
該コンピューティング・プラットフォームはさらに、ユーザ装置に関するアップリンク受信パワー・スペクトル密度（ＲｘＰＳＤul）値と、サービング・ノードに関するダウンリンク送信パワー・スペクトル密度（ＴｘＰＳＤDL）値と、該サービング・ノードにおける雑音指数（ＮＦNodeB）と、及び該サービング・ノードにおける雑音オーバー（（ＮｏＷ）NodeB）指数とを合計したものから、該サービング・ノードにおけるアップリンクの干渉オーバー熱雑音（ＩｏＴ）値を引いたものに等しいように決定された開ループ調節値に基づいて開ループ・パワー制御を行なう、請求項６記載の装置。
【請求項８】
該受信機はさらに、アウタ・ループ・パワー制御を行なうことに応じて該チャネル品質フィードバックを伝送するトラヒック・チャネル及びオーバーヘッド・チャネルのうちの選択された１つのものの送信パワーを調節するためにノードからコマンドを受信する、ここにおいて、該ノードは該チャネル品質フィードバックに関する検出信頼値を決定し、該検出信頼値を目標に維持するために該トラヒック・チャネル及びオーバーヘッド・チャネルのうちの該決定された１つのものに関するアウタ・ループ・パワー制御を行なう、
該送信機はさらに、開ループ・パワー制御によって決定された該送信パワー・スペクトル密度値に部分的に依存する該トラヒック・チャネルまたは該オーバーヘッド・チャネルのうちの該選択された１つのものの上で該チャンネル品質フィードバックを送信する、請求項６記載の装置。
【請求項９】
無線通信システムにおいてアップリンクを受信する方法、該方法は下記を具備する、
下記の複数の動作をインプリメントするためにコンピュータ可読記憶媒体上に格納された、コンピュータ実行可能な複数の命令を実行するプロセッサを使用すること、
トラヒック・チャネル及びオーバーヘッド・チャネルのうちの決定された１つのものの上でユーザ装置からのアップリンク上のチャンネル品質フィードバックを受信すること、
該チャネル品質フィードバックに関する検出信頼値を決定すること、
該検出信頼値を目標に維持するために該トラヒック・チャネル及びオーバーヘッド・チャネルのうちの該決定された１つのものに関するアウタ・ループ・パワー制御を行うこと、
アウタ・ループ・パワー制御を行なうことに応じて該チャネル品質フィードバックを伝送するトラヒック・チャネル及びオーバーヘッド・チャネルのうちの選択された１つのものの該送信パワーを調節するためにコマンドを該ユーザ装置に送信すること。
【請求項１０】
該検出信頼値は消去レートを備える、請求項９記載の方法。
【請求項１１】
該オーバーヘッド・チャネルに関するアウタ・ループ・パワー制御を行なうことをさらに備える、請求項９記載の方法。
【請求項１２】
該オーバーヘッド・チャネル及びトラヒック・チャネルのうちの該選択された１つのものの該送信パワーを調節するためにグループ化されたパワー制御を使用して、ダウンリンク制御チャネルを介してアップ・パワー制御コマンド及びダウン・パワー制御コマンドのうちの選択された１つをユーザ装置に送信することにより、該オーバーヘッド・チャネルに関する閉ループ・パワー制御を行なうことをさらに備える、請求項１１記載の方法。
【請求項１３】
下記をさらに備える、請求項１１記載の方法、
該アップリンクの該オーバーヘッド・チャネル上で該チャネル品質フィードバックを受信すること、
アウタ・ループ・パワー制御を行なうことに応じて該アップリンクの該オーバーヘッド・チャネルの該送信パワーを調節するために該ユーザ装置に該コマンドを送信すること。
【請求項１４】
アウタ・ループ・パワー制御を行なうことに応じて該アップリンクの該オーバーヘッド・チャネルの該送信パワーを調節するためにアップ・パワー制御コマンド及びダウン・パワー制御コマンドのうちの選択された１つをユーザ装置に送信することにより、該オーバーヘッド・チャネルに関する閉ループ・パワー制御を行なうことをさらに備える、請求項１１記載の方法。
【請求項１５】
該アップリンクの該トラヒック・チャネル上で該チャネル品質フィードバックを受信することをさらに備える、請求項１１記載の方法。
【請求項１６】
アウタ・ループ・パワー制御を行なうことに応じて該アップリンクの該トラヒック・チャネルの該送信パワーを調節するためにアップ・パワー制御コマンド及びダウン・パワー制御コマンドのうちの選択された１つをユーザ装置に送信することにより、該オーバーヘッド・チャネルに関する閉ループ・パワー制御を行なうことをさらに備える、請求項１１記載の方法。
【請求項１７】
該チャネル品質フィードバックに関するチャネル品質インジケータ（ＣＱＩ）変調記号の利得を調節するために、ユーザ装置にコマンドを送信することをさらに備える、請求項１６記載の方法。
【請求項１８】
下記をさらに備える、請求項１６記載の方法、
該アップリンクに関するブロック誤り率を決定すること、
望まれる数のサブパケットを達成するように、該トラヒック・チャネルに関するブロック誤り率を維持するために、及び該検出信頼値を該目標に維持するためにアウタ・ループ・パワー制御を行なうこと。
【請求項１９】
該トラヒック・チャネル及び該オーバーヘッド・チャネルのうちの選択された一方から他方に切り替わる該ユーザ装置から該アップリンク上で該チャネル品質フィードバックを受信することをさらに備える、請求項１１記載の方法。
【請求項２０】
単一キャリア周波数分割多重化波形の性質に適応するように、該トラヒック・チャネル及び該オーバーヘッド・チャネルのうちの該選択された一方から該他方へ遷移しているときに、パワー・ブーストを用いてアウタ・ループ・パワー制御を行なうことに応じて該アップリンクの該オーバーヘッド・チャネルの該送信パワーを調節するために該コマンドを該ユーザ装置に送信することをさらに備える、請求項１９記載の方法。
【請求項２１】
該トラヒック・チャネルのパイロットに関する信号対雑音比に関する第２の目標値とブロードキャスト・パイロット・チャネルに関する信号対雑音比との間の差に関する第１の目標値を説明するために該パワー・ブーストを決定することをさらに備える、請求項２０記載の方法。
【請求項２２】
下記をさらに備える、請求項１９記載の方法、
該オーバーヘッド・チャネルから該トラヒック・チャネルへ切り替わるユーザ装置からの該アップリンク上の該チャンネル品質フィードバックを受信すること、
該オーバーヘッド・チャネルのパイロットと帯域幅全体にわたるブロードキャスト・パイロット・チャネルとの間の送信パワーの差に基づいて該検出信頼値を該目標に維持するためにアウタ・ループ・パワー制御を行うこと。
【請求項２３】
下記をさらに備える、請求項１９記載の方法、
該トラヒック・チャネルから該オーバーヘッド・チャネルへ切り替わるユーザ装置からの該アップリンク上の該チャンネル品質フィードバックを受信すること、
該トラヒック・チャネルのパイロットと該オーバーヘッド・チャネルの複数のリソース・ブロックにわたるブロードキャスト・パイロット・チャネルとの間の送信パワーの差に基づいて、該検出信頼値を該目標に維持するためにアウタ・ループ・パワー制御を行うこと。
【請求項２４】
目標の、通知されていない（Ｎａｋ）対通知された（Ａｃｋ）誤り率を維持するように該トラヒック・チャネル及び該オーバーヘッド・チャネルのうちの該選択された１つのものの該送信パワーを調節するための該ユーザ装置への該コマンドに関連して設定されたアップリンク肯定応答に関する利得を送信することをさらに備える、請求項１１記載の方法。
【請求項２５】
該トラヒック・チャネルに関するアウタ・ループ・パワー制御を行なうことをさらに備える、請求項９記載の方法。
【請求項２６】
いくつかのサブパケットに関するブロック誤り率に関する閾値を達成するために該トラヒック・チャネルのパイロットに関するパイロット信号対雑音比を増加させることにより該トラヒック・チャネルに関するアウタ・ループ・パワー制御を行なうことをさらに備える、請求項２５記載の方法。
【請求項２７】
滑らかなダイナミックスと低いセットポイント・バイアスのために該パイロット信号対雑音比を増加させるための複数のインクリメントを設定することをさらに備える、請求項２６記載の方法。
【請求項２８】
チャネル品質フィードバック及びデータが該トラヒック・チャネル上で送信されるときに目標消去レートが達成されることを確実にするために及びいくつかのサブパケットに関する閾値及び目標トラヒック・ブロック誤り率を確実にするためにパイロット信号対雑音比セットポイントを設定することにより該トラヒック・チャネルに関するアウタ・ループ・パワー制御を行なうことをさらに備える、請求項２５記載の方法。
【請求項２９】
ダウンリンク制御チャネルのオーバーヘッド値に基づいて該トラヒック・チャネルに関するアウタ・ループ・パワー制御を行なうことにより規定されたレベルに該トラヒック・チャネルに関するパイロット信号対雑音比を維持するために該トラヒック・チャネルに関する閉ループ・パワー制御を行なうことをさらに備える、請求項２５記載の方法。
【請求項３０】
第２のユーザ装置により発生させられた干渉信号に応答して該トラヒック・チャネルの送信パワーのパワー・スペクトル密度の変化に関するコマンドを調節することをさらに備える、請求項２９記載の方法。
【請求項３１】
下記を具備する、無線通信システムにおいてアップリンクを受信するためのコンピュータ・プログラム製品、
少なくとも１つのプロセッサにより実行されるときに、下記を備えた複数のコンポーネントをインプリメントするコンピュータ実行可能な複数の命令を格納する少なくとも１つのコンピュータ可読記憶媒体、
トラヒック・チャネル及びオーバーヘッド・チャネルのうちの決定された１つのものの上でユーザ装置からのアップリンク上のチャネル品質フィードバックを受信するための複数のコードの第１のセット、
該チャネル品質フィードバックに関する検出信頼値を決定するための複数のコードの第２のセット、
該検出信頼値を目標に維持するために該トラヒック・チャネル及びオーバーヘッド・チャネルのうちの該決定された１つのものに関するアウタ・ループ・パワー制御を行なうための複数のコードの第３のセット、
アウタ・ループ・パワー制御を行なうことに応じて該チャネル品質フィードバックを伝送するトラヒック・チャネル及びオーバーヘッド・チャネルのうちの選択された１つのものの送信パワーを調節するためにコマンドを該ユーザ装置に送信するための複数のコードの第４のセット。
【請求項３２】
下記を具備する、無線通信システムにおいてアップリンクを受信するための装置、
少なくとも１つのプロセッサ、
該少なくとも１つのプロセッサにより実行されるときに、下記を備える複数のコンポーネントをインプリメントするコンピュータ実行可能な複数の命令を格納する少なくとも１つのコンピュータ可読記憶媒体、
トラヒック・チャネル及びオーバーヘッド・チャネルのうちの決定された１つのものの上でユーザ装置からのアップリンク上のチャンネル品質フィードバックを受信するための手段、
該チャネル品質フィードバックに関する検出信頼値を決定するための手段、
該検出信頼値を目標に維持するために該トラヒック・チャネル及びオーバーヘッド・チャネルのうちの該決定された１つのものに関するアウタ・ループ・パワー制御を行なうための手段、
アウタ・ループ・パワー制御を行なうことに応じて該チャネル品質フィードバックを伝送するトラヒック・チャネル及びオーバーヘッド・チャネルのうちの選択された１つのものの送信パワーを調節するためにコマンドを該ユーザ装置に送信するための手段。
【請求項３３】
下記を具備する、無線通信システムにおいてアップリンクを受信するための装置、
トラヒック・チャネル及びオーバーヘッド・チャネルのうちの決定された１つのものの上でユーザ装置からのアップリンク上のチャネル品質フィードバックを受信する受信機、
該チャネル品質フィードバックに関する検出信頼値を決定し、該検出信頼値を目標に維持するために該トラヒック・チャネル及びオーバーヘッド・チャネルのうちの該決定された１つのものに関するアウタ・ループ・パワー制御を行なうコンピューティング・プラットフォーム、
アウタ・ループ・パワー制御を行なうことに応じて該チャネル品質フィードバックを伝送するトラヒック・チャネル及びオーバーヘッド・チャネルのうちの選択された１つのものの送信パワーを調節するために該ユーザ装置にコマンドを送信する送信機。
【請求項３４】
該検出信頼値は消去レートを備える、請求項３３記載の装置。
【請求項３５】
該コンピューティング・プラットフォームはさらに、該オーバーヘッド・チャネルに関するアウタ・ループ・パワー制御を行なう、請求項３３記載の装置。
【請求項３６】
該コンピューティング・プラットフォームはさらに、該オーバーヘッド・チャネル及びトラヒック・チャネルのうちの該選択された１つのものの該送信パワーを調節するためにグループ化されたパワー制御を使用して、ダウンリンク制御チャネルを介してアップ・パワー制御コマンド及びダウン・パワー制御コマンドのうちの選択された１つをユーザ装置に送信することにより、該オーバーヘッド・チャネルに関する閉ループ・パワー制御を行なう、請求項３５記載の装置。
【請求項３７】
該受信機はさらに、該アップリンクの該オーバーヘッド・チャネル上で該チャネル品質フィードバックを受信する、
該送信機はさらに、アウタ・ループ・パワー制御を行なうことに応じて該アップリンクの該オーバーヘッド・チャネルの該送信パワーを調節するために該ユーザ装置に該コマンドを送信する、請求項３５記載の装置。
【請求項３８】
該コンピューティング・プラットフォームはさらに、アウタ・ループ・パワー制御を行なうことに応じて該アップリンクの該オーバーヘッド・チャネルの該送信パワーを調節するためにアップ・パワー制御コマンド及びダウン・パワー制御コマンドのうちの選択された１つをユーザ装置に送信することにより、該オーバーヘッド・チャネルに関する閉ループ・パワー制御を行なう、請求項３５記載の装置。
【請求項３９】
該受信機はさらに、該アップリンクの該トラヒック・チャネル上で該チャネル品質フィードバックを受信する、請求項３５記載の装置。
【請求項４０】
該コンピューティング・プラットフォームはさらに、アウタ・ループ・パワー制御を行なうことに応じて該アップリンクの該トラヒック・チャネルの該送信パワーを調節するためにアップ・パワー制御コマンド及びダウン・パワー制御コマンドのうちの選択された１つをユーザ装置に送信することにより該オーバーヘッド・チャネルに関する閉ループ・パワー制御を行なう、請求項３５記載の装置。
【請求項４１】
該送信機はさらに、該チャネル品質フィードバックに関するチャネル品質インジケータ（ＣＱＩ）変調記号の利得を調節するためにユーザ装置にコマンドを送信する、請求項４０記載の装置。
【請求項４２】
該コンピューティング・プラットフォームはさらに、該アップリンクに関するブロック誤り率を決定し、望まれる数のサブパケットを達成するように、該トラヒック・チャネルに関するブロック誤り率を維持するために、及び該検出信頼値を該目標に維持するためにアウタ・ループ・パワー制御を行なう、請求項４０記載の装置。
【請求項４３】
該受信機はさらに、該トラヒック・チャネル及び該オーバーヘッド・チャネルのうちの選択された一方から他方に切り替わる該ユーザ装置から該アップリンク上で該チャネル品質フィードバックを受信する、請求項３５記載の装置。
【請求項４４】
該送信機はさらに、単一キャリア周波数分割多重化波形の性質に適応するように、該トラヒック・チャネル及び該オーバーヘッド・チャネルのうちの該選択された一方から該他方へ遷移しているときに、パワー・ブーストを用いてアウタ・ループ・パワー制御を行なうことに応じて該アップリンクの該オーバーヘッド・チャネルの該送信パワーを調節するために該コマンドを該ユーザ装置に送信する、請求項４３記載の装置。
【請求項４５】
該コンピューティング・プラットフォームはさらに、該トラヒック・チャネルのパイロットに関する信号対雑音比に関する第２の目標値とブロードキャスト・パイロット・チャネルに関する信号対雑音比との間の差に関する第１の目標値を説明するために該パワー・ブーストを決定する、請求項４４記載の装置。
【請求項４６】
該受信機はさらに、該オーバーヘッド・チャネルから該トラヒック・チャネルへ切り替わるユーザ装置からの該アップリンク上の該チャンネル品質フィードバックを受信する、
該コンピューティング・プラットフォームはさらに、該オーバーヘッド・チャネルのパイロットと帯域幅全体にわたるブロードキャスト・パイロット・チャネルとの間の送信パワーの差に基づいて該検出信頼値を該目標に維持するためにアウタ・ループ・パワー制御を行う、請求項４３記載の装置。
【請求項４７】
該受信機はさらに、該トラヒック・チャネルから該オーバーヘッド・チャネルへ切り替わるユーザ装置からの該アップリンク上の該チャンネル品質フィードバックを受信する、
該コンピューティング・プラットフォームはさらに、該トラヒック・チャネルのパイロットと該オーバーヘッド・チャネルの複数のリソース・ブロックにわたるブロードキャスト・パイロット・チャネルとの間の送信パワーの差に基づいて、該検出信頼値を該目標に維持するためにアウタ・ループ・パワー制御を行う、請求項４３記載の装置。
【請求項４８】
該送信機はさらに、目標の、通知されていない（Ｎａｋ）対通知された（Ａｃｋ）誤り率を維持するように該トラヒック・チャネル及び該オーバーヘッド・チャネルのうちの該選択された１つのものの該送信パワーを調節するための該ユーザ装置への該コマンドに関連して設定されたアップリンク肯定応答に関する利得を送信する、請求項３５記載の装置。
【請求項４９】
該コンピューティング・プラットフォームはさらに、該トラヒック・チャネルに関するアウタ・ループ・パワー制御を行なう、請求項３３記載の装置。
【請求項５０】
該コンピューティング・プラットフォームはさらに、いくつかのサブパケットに関するブロック誤り率に関する閾値を達成するために該トラヒック・チャネルのパイロットに関するパイロット信号対雑音比を増加させることにより該トラヒック・チャネルに関するアウタ・ループ・パワー制御を行なう、請求項４９記載の装置。
【請求項５１】
該コンピューティング・プラットフォームはさらに、滑らかなダイナミックスと低いセットポイント・バイアスのために該パイロット信号対雑音比を増加させるための複数のインクリメントを設定する、請求項５０記載の装置。
【請求項５２】
該コンピューティング・プラットフォームはさらに、チャネル品質フィードバック及びデータが該トラヒック・チャネル上で送信されるときに目標消去レートが達成されることを確実にするために及びいくつかのサブパケットに関する閾値及び目標トラヒック・ブロック誤り率を確実にするためにパイロット信号対雑音比セットポイントを設定することにより該トラヒック・チャネルに関するアウタ・ループ・パワー制御を行なう、請求項４９記載の装置。
【請求項５３】
該コンピューティング・プラットフォームはさらに、ダウンリンク制御チャネルのオーバーヘッド値に基づいて該トラヒック・チャネルに関するアウタ・ループ・パワー制御を行なうことにより規定されたレベルに該トラヒック・チャネルに関するパイロット信号対雑音比を維持するために該トラヒック・チャネルに関する閉ループ・パワー制御を行なう、請求項４９記載の装置。
【請求項５４】
該コンピューティング・プラットフォームはさらに、第２のユーザ装置により発生させられた干渉信号に応答して該トラヒック・チャネルの送信パワーのパワー・スペクトル密度の変化に関するコマンドを調節する、請求項５３記載の装置。
【発明の詳細な説明】
【関連出願】
【０００１】
本願は、ここにおいて参考文献とされ、その権利が譲渡された仮米国特許出願第６１／０９２，２０８号（２００８年８月２７日出願、表題「無線通信システムにおけるアップリンク・パワー制御」）に基づき優先権を主張している。
【技術分野】
【０００２】
本開示は一般に通信に関し、具体的には、無線通信システムにおける送信パワーを制御することに関する。
【背景技術】
【０００３】
第３世代パートナーシップ・プロジェクト(3rd Generation Partnership Project)（３ＧＰＰ）のロング・ターム・エボリューション(Long Term Evolution)（ＬＴＥ）は、セルラー・テクノロジーにおける主要な進歩を表わし、ユニバーサル・モバイル・テレコミュニケーション・システム（Universal Mobile Telecommunication System）(ＵＭＴＳ)及びモバイル通信用のグローバル・システム(Global system for mobile communications)（ＧＳＭ（登録商標））のようなセルラー３Ｇサービスにおける次の前進である。ＬＴＥは５０メガビット／秒（Ｍｂｐｓ）までのアップリンク速度及び１００Ｍｂｐｓまでのダウンリンク速度を提供し、そして多くの技術的な利点を複数のセルラー・ネットワークにもたらす。ＬＴＥは、これからの十年で大容量の音声サポートならびに高速のデータ及びメディア・トランスポートに関する電気通信事業者(carrier)の要求を満たすことを意図されている。帯域幅は１．２５ＭＨｚから２０ＭＨｚまでスケーラブル(scalable)である。これは様々な帯域幅割当てを有する様々なネットワーク・オペレータの要求に適し、複数のオペレータが該スペクトルに基づいて様々なサービスを提供することもまた可能にする。ＬＴＥはまた、電気通信事業者が与えられた帯域幅上でより多くのデータ及び音声サービスを提供することを可能にして、複数の３Ｇネットワークにおけるスペクトル効率を改良すると予想される。ＬＴＥは高速データ、マルチメディア・ユニキャスト (unicast) 及びマルチメディア・ブロードキャスト・サービスを包含する。
【０００４】
ＬＴＥ物理層（ＰＨＹ）は、エンハンスされた(enhanced)基地局 (eNodeB) 及び移動ユーザ装置（ＵＥ）との間においてデータ及び制御情報の両方を伝送する非常に効率的な手段である。ＬＴＥ  ＰＨＹは、複数のセルラー・アプリケーションに新規である複数の先進技術を使用する。これらは、直交周波数分割多重化（ＯＦＤＭ）及びマルチプル入力マルチプル出力(Multiple Input Multiple Output)（ＭＩＭＯ）データ送信を含む。さらに、ＬＴＥ  ＰＨＹはダウンリンク（ＤＬ）上で直交周波数分割多元接続（ＯＦＤＭＡ）を使用し、アップリンク（ＵＬ）上で単一キャリア(Single Carrier)周波数分割多元接続（ＳＣ−ＦＤＭＡ）を使用する。ＯＦＤＭＡは、指定された数の記号期間(periods)中に副搬送波ベースでマルチプルの(multiple)ユーザに、あるいはそのマルチプルのユーザから、データが向けられることを可能にする。
【０００５】
複数の異種(heterogeneous)ネットワークの増加中の配置を仮定すると、送信パワー制御はより大きな課題になってきており、それは他のものへ過度の干渉を与えることなく意図された受信者(recipient)により成功裡に受け取られることである。ＬＴＥのような複数のアドバンスド通信プロトコルでは、適切な送信パワーの設定は、送信される制御及びデータチャネルの数のために複数の課題を生じさせる。具体的には、アップリンク（ＵＬ）チャネル上で望まれたトラヒック及びオーバーヘッドの性能を達成しながら、ユーザ装置（ＵＥ）送信パワーを最小にすることが望ましい。
【発明の概要】
【０００６】
開示された複数の態様のうちのいくつかの態様を基本的に理解するために、簡単な要約を以下に示す。この要約は広範囲な概要でなく、重要なまたは重大な複数の要素(elements)を識別することも、このような複数の態様の技術的範囲を詳細に説明する(delineate)こともしないよう意図されている。その目的は、後に記載されているさらに詳細な説明への序章として簡単な形で記載された複数の特徴のいくつかの概念を示すことである。
【０００７】
１またはそれより多くの態様及び対応したその開示によると、様々な態様は、内部及び外部の両方の、アップリンク・パワー制御に関連して説明される。
【０００８】
１つの態様において、下記をインプリメントする(implement)ためにコンピュータ可読記憶媒体上に格納された、コンピュータ実行可能な複数の命令を実行するプロセッサを使用することにより無線通信システムにおいてアップリンクを送信する方法が提供される：
基準信号（例えば、パイロット）はダウンリンク上で受信される。  
送信パワー・スペクトル密度値は、該基準信号のための記号当りの受信されたエネルギを使用して決定される。  
開ループ・パワー制御は、該送信パワー・スペクトル密度値に基づいてトラヒック・チャネル及びオーバーヘッド・チャネルのアップリンクに関して行なわれる。  
チャンネル品質フィードバックは、該オーバーヘッド・チャネルあるいは該トラヒック・チャネルのいずれか上での開ループ・パワー制御によって決定された該送信パワー・スペクトル密度値に依存して送信される。
【０００９】
別の態様では、無線通信システムにおいてアップリンクを送信するためのコンピュータ・プログラム製品が提供される。少なくとも１つのコンピュータ可読記憶媒体は、少なくとも１つのプロセッサによって実行されるとき、下記の複数のコンポーネント(components)をインプリメントするコンピュータ実行可能な複数の命令を格納する：
複数のコードの第１のセットは、ダウンリンク上で基準信号を受信する。  
複数のコードの第２のセットは、該基準信号のための記号当りの受信されたエネルギを使用することにより送信パワー・スペクトル密度値を決定する。  
複数のコードの第３のセットは、該送信パワー・スペクトル密度値に基づいてトラヒック・チャネル及びオーバーヘッド・チャネルのアップリンクに関する開ループ・パワー制御を行なう。  
複数のコードの第４のセットは、該オーバーヘッド・チャネルあるいは該トラヒック・チャネルのいずれか上で開ループ・パワー制御によって決定された該送信パワー・スペクトル密度値に依存するチャンネル品質フィードバックを送信する。
【００１０】
付加的な態様においては、無線通信システムにおいてアップリンクを送信するための装置が提供される。少なくとも１つのコンピュータ可読記憶媒体は、少なくとも１つのプロセッサによって実行されるとき、下記の複数のコンポーネントをインプリメントする、コンピュータ実行可能な複数の命令を格納する：  
ダウンリンク上で基準信号を受信するための手段が提供される。  
該基準信号のための記号当りの受信されたエネルギを使用することにより送信パワー・スペクトル密度値を決定するための手段が提供される。  
該送信パワー・スペクトル密度値に基づいてトラヒック・チャネル及びオーバーヘッド・チャネルのアップリンクに関する開ループ・パワー制御を行なうための手段が提供される。  
該オーバーヘッド・チャネルあるいは該トラヒック・チャネルのいずれか上で開ループ・パワー制御によって決定された該送信パワー・スペクトル密度値に依存するチャンネル品質フィードバックを送信するための手段が提供される。
【００１１】
さらなる態様では、無線通信システムにおいてアップリンクを送信するための装置が提供される。受信機は、ダウンリンク上で基準信号を受信する。コンピューティング・プラットフォーム(computing platform)は、該基準信号のための記号当りの受信されたエネルギを使用することにより送信パワー・スペクトル密度値を決定し、該送信パワー・スペクトル密度値に基づいてトラヒック・チャネル及びオーバーヘッド・チャネルのアップリンクに関する開ループ・パワー制御を行なう。送信機は、該オーバーヘッド・チャネルあるいは該トラヒック・チャネルのいずれか上で開ループ・パワー制御によって決定された該送信パワー・スペクトル密度値に依存するチャンネル品質フィードバックを送信する。
【００１２】
別の１態様においては、下記の複数の動作をインプリメントするためにコンピュータ可読記憶媒体上に格納された、コンピュータ実行可能な複数の命令を実行するプロセッサを使用することにより無線通信システムにおいてアップリンクを受信するための方法が提供される：
トラヒック・チャネル及びオーバーヘッド・チャネルのうちの決定された１つのものの上でユーザ装置からのアップリンク上のチャンネル品質フィードバックが受信される。  
検出信頼(confidence)値は、該チャネル品質フィードバックに関して決定される。  
アウタ(outer)・ループ・パワー制御は、該検出信頼値を目標(target)に維持するために該トラヒック・チャネル及びオーバーヘッド・チャネルのうちの該決定された１つのものに関して行われる。  
アウタ・ループ・パワー制御を行なうことに応じて該チャネル品質フィードバックのアップリンクを伝送する(carry)トラヒック・チャネル及びオーバーヘッド・チャネルのうちの選択された１つのものの該送信パワーを調節するために、コマンドは該ユーザ装置に送信される。
【００１３】
さらに別の態様では、無線通信システムにおいてアップリンクを受信するためのコンピュータ・プログラム製品が提供される。少なくとも１つのコンピュータ可読記憶媒体は、少なくとも１つのプロセッサにより実行されるときに、下記の複数のコンポーネントをインプリメントするコンピュータ実行可能な複数の命令を格納する：
複数のコードの第１のセットは、トラヒック・チャネル及びオーバーヘッド・チャネルのうちの決定された１つのものの上でユーザ装置からのアップリンク上のチャネル品質フィードバックを受信する。  
複数のコードの第２のセットは、該チャネル品質フィードバックに関する検出信頼値を決定する。  
複数のコードの第３のセットは、該検出信頼値を目標(target)に維持するために該トラヒック・チャネル及びオーバーヘッド・チャネルのうちの該決定された１つのものに関するアウタ・ループ・パワー制御を行なう。  
複数のコードの第４のセットは、アウタ・ループ・パワー制御を行なうことに応じて該チャネル品質フィードバックのアップリンクを伝送するトラヒック・チャネル及びオーバーヘッド・チャネルのうちの選択された１つのものの送信パワーを調節するためにコマンドを該ユーザ装置に送信する。
【００１４】
さらに追加の態様においては、無線通信システムにおいてアップリンクを受信するための装置が提供される。少なくとも１つのコンピュータ可読記憶媒体は、少なくとも１つのプロセッサにより実行されるときに、複数のコンポーネントをインプリメントするコンピュータ実行可能な複数の命令を格納する。トラヒック・チャネル及びオーバーヘッド・チャネルのうちの決定された１つのものの上でユーザ装置からのアップリンク上のチャンネル品質フィードバックを受信するための手段が提供される。該チャネル品質フィードバックに関する検出信頼値を決定するための手段が提供される。該検出信頼値を目標に維持するために該トラヒック・チャネル及びオーバーヘッド・チャネルのうちの該決定された１つのものに関するアウタ・ループ・パワー制御を行なうための手段が提供される。アウタ・ループ・パワー制御を行なうことに応じて該チャネル品質フィードバックのアップリンクを伝送するトラヒック・チャネル及びオーバーヘッド・チャネルのうちの選択された１つのものの送信パワーを調節するためにコマンドを該ユーザ装置に送信するための手段が提供される。
【００１５】
さらに別の態様においては、無線通信システムにおいてアップリンクを受信するための装置が提供される。受信機は、トラヒック・チャネル及びオーバーヘッド・チャネルのうちの決定された１つのものの上でユーザ装置からのアップリンク上のチャネル品質フィードバックを受信する。コンピューティング・プラットフォームは、該チャネル品質フィードバックに関する検出信頼値を決定し、該検出信頼値を目標に維持するために該トラヒック・チャネル及びオーバーヘッド・チャネルのうちの該決定された１つのものに関するアウタ・ループ・パワー制御を行なう。送信機は、アウタ・ループ・パワー制御を行なうことに応じて該チャネル品質フィードバックを伝送するトラヒック・チャネル及びオーバーヘッド・チャネルのうちの選択された１つのものの送信パワーを調節するために該ユーザ装置にコマンドを送信する。
【００１６】
上記及び関連した複数の結果を達成するために、１またはそれより多くの態様は、以下さらに詳細に説明される及び複数の請求項の中で具体的に指摘される複数の特徴を備えている。以下の説明及び添付された複数の図面には、ある複数の例証的な態様が詳細に記載され、該複数の態様の複数の原理が使用されることのできる様々なやり方のうちの少数のものが示されている。他の複数の利点及び新規な複数の特徴は、複数の図面と共に考慮されるときに、以下の詳細な説明から明らかになるであろう。また、開示された複数の態様は、このような複数の態様及びそれらと等価なものをすべて含むように意図されている。
【図面の簡単な説明】
【００１７】
【図１】図１は、無線通信システムにおけるアップリンクのための開、アウタ、及び閉ループ送信パワー制御を行なう無線通信システムのブロック図を示す。
【図２】図２は、無線通信システムにおけるアップリンクに関する送信パワー制御の複数の動作のシーケンスまたは方法論のためのフロー図を示す。
【図３】図３は、複数のマクロ(macro)セル、複数のフェムト(femto)セル、及び複数のピコ(pico)セルを備える無線通信システムの概略図を示す。
【図４】図４は、多元接続無線通信システムのブロック図を示す。
【図５】図５は、マルチプル入力マルチプル出力（ＭＩＭＯ）通信システムにおけるノード及び端末の概略図を示す。
【図６】図６は、ユーザ装置によるアップリンク送信及びベース・ノードによるダウンリンク（ＤＬ）送信の概略図を示す。
【図７】図７は、アップリンクのために使用されることのできる送信構造の概略図を示す。
【図８】図８は、物理アップリンク共用チャネル（ＰＵＳＣＨ）上の例示的な送信の概略図を示す。
【図９】図９は、データ・チャネル上でトラヒック・データを送信するためのプロセスのフロー図を示す。
【図１０】図１０は、データ・チャネル上でトラヒック・データを受信するためのプロセスのフロー図を示す。
【図１１】図１１は、望まれるアップリンク波形を生成するための概略図を示す。
【図１２】図１２は、無線通信システムにおいてアップリンクを送信するための複数の電気コンポーネントを有するユーザ装置（ＵＥ）の論理グループ化(grouping)のブロック図を示す。
【図１３】図１３は、無線通信システムにおいてアップリンクを受信するための複数の電気コンポーネントを有するベース・ノードの論理グループ化のブロック図を示す。
【図１４】図１４は、無線通信システムにおいてアップリンクを送信するための手段を有する装置のブロック図を示す。
【図１５】図１５は、無線通信システム中のアップリンクを受信するための手段を有する装置のブロック図を示す。
【発明を実施するための形態】
【００１８】
本願の開示の複数の特徴、性質、及び複数の利点は、以下に述べられた詳細な説明及びその複数の図面からさらに明らかになるであろう。なお、該複数の図面において、同じ参照符号は該複数の図面にわたって同じ要素を示すものである。  
ここに記載された複数の技術は、ＣＤＭＡ、ＴＤＭＡ、ＦＤＭＡ、ＯＦＤＭＡ、ＳＣ−ＦＤＭＡ及び他の複数のシステムのような、様々な無線通信システムに使用されることができる。「システム」及び「ネットワーク」という用語はしばしば交換可能に使用される。ＣＤＭＡシステムはユニバーサル地上無線アクセス(Universal Terrestrial Radio Access ）（ＵＴＲＡ）、ｃｄｍａ２０００等のような無線テクノロジーをインプリメントする(implement)ことができる。ＵＴＲＡは、広帯域ＣＤＭＡ（ＷＣＤＭＡ）及びＣＤＭＡの他の複数の変形を含む。ｃｄｍａ２０００は、ＩＳ−２０００、ＩＳ−９５及びＩＳ−８５６標準をカバーする。ＴＤＭＡシステムは、モバイル通信用のグローバル・システム（ＧＳＭ）のような無線テクノロジーをインプリメントすることができる。ＯＦＤＭＡシステムは、進化型(Evolved) ＵＴＲＡ（Ｅ−ＵＴＲＡ）、ウルトラ・モバイル・ブロードバンド（Ultra Mobile Broadband）(ＵＭＢ) 、ＩＥＥＥ ８０２．１１（Ｗｉ−Ｆｉ）、ＩＥＥＥ ８０２．１６（ＷｉＭＡＸ）、ＩＥＥＥ ８０２．２０、フラッシュＯＦＤＭ（登録商標））等のような、無線テクノロジーをインプリメントすることができる。ＵＴＲＡ及びＥ−ＵＴＲＡはユニバーサル・モバイル・テレコミュニケーション・システム（Universal Mobile Telecommunication System）(ＵＭＴＳ)の一部である。３ＧＰＰのロング・ターム・エボリューション(Long Term Evolution)（ＬＴＥ）は、ダウンリンク上でＯＦＤＭＡを使用し、アップリンク上でＳＣ−ＦＤＭＡを使用する、Ｅ−ＵＴＲＡを使用するＵＭＴＳの今後のリリース(releases)である。ＵＴＲＡ、Ｅ−ＵＴＲＡ、ＵＭＴＳ、ＬＴＥ及びＧＳＭは、「第３世代パートナーシップ・プロジェクト(3rd Generation Partnership Project)」（３ＧＰＰ）という名の団体からの複数の文献に記載されている。ｃｄｍａ２０００及びＵＭＢは、「第３世代パートナーシップ・プロジェクト２」（３ＧＰＰ２）という名の団体からの複数の文献に記載されている。簡明化のために、該複数の技術のある複数の態様は以下においてＬＴＥに関して説明され、ＬＴＥという用語は下記の説明の大部分において使用される。
【００１９】
様々な態様は複数の図面を参照して説明される。以下の記載において、１またはそれより多くの態様の完全な理解のために、説明の目的で、多くの特定の詳細が記載されている。しかしながら、該複数のさまざまな態様はこれらの特定の詳細なしに実行され得ることは明白である。他の複数の例においては、よく知られている複数の構造及び複数のデバイスは、これらの態様の説明を容易にするためにブロック図の形態で示されている。
【００２０】
図１において、無線通信システム１００は、ダウンリンク１０８を介してアップリンク１０６を使用してユーザ装置（ＵＥ）１０４をスケジュールするために、進化型ベース・ノード(evolved Base Node )（ｅＢＮ）１０２として示された、サービング(serving)基地局を備えている。典型的な態様では、データ・パケット通信はＬＴＥ Ｒｅｌ ８においてインプリメントされ、ここにおいて該アップリンク１０６は単一キャリア周波数分割多重化（ＳＣ−ＦＤＭ）アップリンク波形に適応する。具体的には、該ＵＥ１０４は、パケット・データ１１６を伝送することのできる、物理アップリンク共用チャネル（ＰＵＳＣＨ）１１４として示されたトラヒック（すなわち、データ）チャネル、または物理アップリンク制御チャネル（ＰＵＣＣＨ）１１２として示されたオーバーヘッド・チャネルのいずれかの上のチャネル品質インジケータ(Indictor)（ＣＱＩ）チャネル１１０として示されている、ダウンリンク干渉に関するフィードバックを報告することができる。ＵＥ １０４はまた、オーバーヘッド・チャネル（例えば、ＰＵＣＣＨ）１１２あるいはトラヒック・チャネル（例えば、ＰＵＳＣＨ）１１４のいずれか上でのＡｃｋチャネル１１８上の、パケット・データの成功した受信を通知すること（Ａｃｋ）ができ、あるいはパケット・データの受信を明示的に通知しないこと（Ｎａｋ）ができる。
【００２１】
オーバーヘッド・チャネル１１２及びトラヒック・チャネル１１４はアップリンク帯域幅の異なる部分であるので、Ａｃｋ及びＣＱＩ記号は、どこに伝送されるかに依存して補償を必要とする異なる干渉１２０及び１２２を受け得る。送信パワー制御システム１２４は、過度の送信パワーを使用せずに、この干渉を軽減させるように偶発事故(contingencies)と使用の様々な組合せに対処する。そのために、ＵＥ １０４は、制御及びトラヒック（すなわち、データ）チャネルの両者に関する開ループパワー制御（例えば、アルゴリズム）１２６をいつでも実行する。その代わりに、あるいはそれに加えて、アウタ・ループ及び閉ループ・パワー制御（例えば、アルゴリズム）１２８，１２９は、オーバーヘッド・チャネル１１２に関してＵＥ １０４及びｅＮＢ １０２によってインタラクティブに(interactively)行なわれ、そのオーバーヘッド・チャネル１１２はアップリンクＣＱＩチャネル１１０及びＡＣＫチャネル１１８を含むことができる。その代わりに、あるいはそれに加えて、アウタ・ループ及び閉ループ・パワー制御（例えば、アルゴリズム）１３４、１３５は、アップリンク・トラヒック・チャネル１１４に関してＵＥ １０４及びｅＮＢ １０２によってインタラクティブに行なわれ、そのアップリンク・トラヒック・チャネル１１４はアップリンクＣＱＩチャネル１１０及びＡＣＫチャネル１１８を含むことができる。典型的な態様において、適用可能なアウタ及び閉ループ・パワー制御１２８、１２９、１３４、１３５は、開ループ・パワー制御１２６に加えて、ｅＮＢ １０２及びＵＥ １０４によって実行される。
【００２２】
アップリンク・オーバーヘッド・チャネル１１２及びアップリンク・トラヒック・チャネル１１４に関する開ループ・パワー制御１２６について、ＵＥ １０４は、基準信号（例えば、共通のパイロット・チャネル（ＣＰＩＣＨ）（ＬＴＥ、Ｒｅｌ．８））１３６上の記号当たりの受信されたエネルギ（Ｅｓ）を使用して、開ループ・ベースの送信パワー・スペクトル密度（ＰＳＤ）を計算する。（例えば、ＰＳＤは、固定されたＭＣＳ及びターミネーション(termination)目標に割り当てられた帯域幅の関数である。）送信ＰＳＤ「ＯｐｅｎＬｏｏｐＡｄｊｕｓｔ（すなわち、開ループ・ターンアラウンド(turnaround）定数)値」のための典型的な計算は、その雑音指数、動作している干渉オーバー熱(Interference Over Thermal)（ＩＯＴ）雑音ポイント等に基づいて基地局（ｅＮＢ）１０２により構成されている式（１），（２）として下記に示されている。
【００２３】
複数のアップリンク・オーバーヘッド・チャネルに関するアウタ・ループ・パワー制御アルゴリズム１２８について、１つの態様では、アウタ・ループ・アルゴリズムは該基地局受信機で望まれる目標ＣＱＩ消去レート(erasure rate)を維持する。
【００２４】
別の態様においては、ＣＱＩが該アップリンク制御チャネルＰＵＣＣＨにおいて送信されるとき、該アウタ・ループは、ＣＱＩに関する目標消去レートが維持されるように、基地局で該受信されたＰＵＣＣＨパイロット信号対雑音比（ＳＩＮＲ）セットポイント(setpoint)を調節する。ＣＱＩが消されるとき、該基地局は該ＰＵＣＣＨパイロットＳＩＮＲセットポイントを増加させ、その他の場合は、該基地局はＰＵＣＣＨパイロットＳＩＮＲセットポイントを減少させる。アップ対ダウンの複数のステップ・サイズ(up to down step sizes)（インクリメント(increments)）の比は、望まれるＣＱＩ目標消去レートに帰着する。アップリンク・オーバーヘッド・チャネルに関する閉ループ・パワー制御アルゴリズム１２９について、１つの態様では、ＣＱＩが該ＰＵＣＣＨにおいて送信されるとき、該基地局は該ＰＵＣＣＨパイロットＳＩＮＲを、アウタ・ループによって設定された目標に維持するために複数のＵＰ／ＤＯＷＮパワー制御コマンドを送信する。
【００２５】
追加の態様では、ＣＱＩが該アップリンク・トラヒック・チャネルＰＵＳＣＨにおいて送信されるとき、１つのアルゴリズムは、該ＣＱＩに関する目標消去レートが維持されるように、該アウタ・ループが（複数の）ＣＱＩ変調記号の利得を調節する、と規定することができる。別のアルゴリズムは、望まれる数のサブパケットでの該目標データ・チャネル・ブロック誤り率（ＢＬＥＲ）及び目標ＣＱＩ消去レートが達成されるように、該アウタ・ループが該アップリンク・トラヒック・チャネルＰＵＳＣＨパイロットＳＩＮＲセットポイントを調節する、と規定することができる。典型的なアスペクトにおいては、該ＣＱＩチャネル及びデータ・チャンネルのパフォーマンス(performance)は独立して維持されず、事実、単一の変数（例えば、該ＰＵＳＣＨパイロットＳＩＮＲセットポイント）は両方を共に(jointly)制御するために使用されることに留意すべきである。したがって、該ＣＱＩチャネルが、例えば、該データ・チャネルより悪い干渉を有している場合、該ＣＱＩチャネルＳＩＮＲは、該ＰＵＳＣＨパイロットＳＩＮＲセットポイントを管理し(govern)、実際に、該トラヒック・チャネル上の該望まれるＢＬＥＲよりはるかに低いＢＬＥＲになることができる。
【００２６】
複数のアップリンク・オーバーヘッド・チャネルに関するアウタ・ループ・パワー制御アルゴリズム１２８のさらなる態様において、該ＣＱＩ利得は、ＣＱＩがＰＵＣＣＨ上で送信されることからＰＵＳＣＨ上で送信されることに、及びその逆に、切り替わるときに、調節されることができる。以下に概説された複数の値の該調節に加えて、付加的なパワー・ブースト(boost)は、波形の該単一キャリア周波数分割多重化（ＳＣ−ＦＤＭ）性質による遷移(transition)でＣＱＩのために適用されることができ、該調節値はまた、該広帯域パイロット・チャネル（ＢＰＩＣＨ）目標ＳＩＮＲと該ＰＵＣＣＨパイロット目標ＳＩＮＲの差を説明する(accounts for)。（ＢＰＩＣＨはまたサウンディング(sounding)基準信号（ＳＲＳ）、（すなわち、広帯域チャネル・サウンディング）を指すことができる。）例えば、ＣＱＩ利得は、ＣＱＩがＰＵＣＣＨからＰＵＳＣＨに切り替わるときに、調節されることができる。該利得は、ＢＰＩＣＨ（ＢＷ全体にわたる）及びＰＵＣＣＨパイロット送信パワー間の複数の送信パワーの差だけ調節される。別の例では、ＣＱＩがＰＵＳＣＨからＰＵＣＣＨに切り替わるとき、ＣＱＩ利得は調節されることができる。該利得は、ＢＰＩＣＨ（複数のＰＵＣＣＨリソース・ブロック（ＲＢｓ）にわたる）及びＰＵＳＣＨパイロット送信（Ｔｘ）パワー間の複数の送信パワーの差だけ調節される。（典型的な態様においては、リソース・ブロックは１８０ｋＨｚ（１２のトーン×１５ｋＨｚ／トーン）である。）閉ループ１２９については、ＣＱＩが該ＰＵＳＣＨにおいて送信されるとき、該基地局はＣＱＩ変調記号ＳＩＮＲを、該アウタ・ループによって設定された目標に維持するために複数のＵＰ／ＤＯＷＮパワー制御コマンドを送信する。
【００２７】
複数のオーバーヘッド・チャネルのさらに別の態様では、該望まれる目標ＣＱＩ消去レートを与えられた該望まれる目標ＮＡＫ対ＡＣＫ誤り率が維持され得ることを確実にするために、該ＡＣＫ利得は常にＣＱＩ利得に相関して(relative to)設定されることができる。
【００２８】
複数のオーバーヘッド・チャネルの閉ループ１２９に関する別の態様において、該基地局は、グループ化された(grouped)パワー制御を用いて、複数のオーバーヘッド閉ループ・パワー制御コマンドを送信するために物理ダウンリンク制御チャネル（ＰＤＣＣＨ）１４０を使用することができる。
【００２９】
該アップリンク・トラヒック・チャネルに関する該アウタ・ループ・パワー制御アルゴリズム１３４について、第１の態様では、該アウタ・ループは、該目標トラヒックＢＬＥＲが望まれる数のサブパケットで達成されることを確実にするように該ＰＵＳＣＨパイロットＳＩＮＲセットポイントを設定する。望まれる数のサブパケットにおける該目標ＢＬＥＲが達成されないとき、該ＰＵＳＣＨパイロットＳＩＮＲセットポイントは増加され、また、その他の場合は増加される。アップ対ダウンの該比は、該ＢＬＥＲ目標を示し、該複数のステップ・サイズは、滑らかなダイナミックス(dynamics)と低いセットポイント・バイアスを確実にするように注意深く設定される。別の態様においては、該アウタ・ループは、該目標トラヒックＢＬＥＲが該望まれる数のサブパケットで達成されることと、及びＣＱＩが該ＰＵＳＣＨチャネルにおいてデータと共に送信されるときに該目標ＣＱＩ消去レートが達成されることの両方を確実にするように、該ＰＵＳＣＨパイロットＳＩＮＲセットポイントを設定する。
【００３０】
１つの態様における該アップリンク・トラヒック・チャネルに関する閉ループ・パワー制御アルゴリズム１３５は、該ＰＵＳＣＨパイロットＳＩＮＲがアウタ・ループ・アルゴリズム１３６により設定された該望まれるレベルに維持されることを確実にすることができる。閉ループ・パワー制御アルゴリズム１３５のレートは、該ダウンリンクＰＤＣＣＨオーバーヘッドに基づいて基地局（ｅＮＢ）１０２によって決定されることができる。別の態様においては、１つのパケット内の複数のサブパケットに関する該送信デルタＰＳＤ(transmit delta-PSD)への追加の複数の調節は、与えられたＵＥ １４１,１４２によって引き起こされた他セル干渉(other-cell interference)を処理する(handle)ように基地局１０２によって設定されることができる。（デルタＰＳＤは、与えられた変調及び符号化スキーム(Scheme)（ＭＣＳ）に関する公称(nominal)ＰＳＤに対するＰＳＤへの調節である。）
典型的な態様において、ＣＱＩあるいはＡＣＫ ＳＩＮＲは、パイロットに関する変調記号利得×PilotPUSCHまたはPilotPUCCH という関係によって与えられることができる。明瞭にするために、ベースライン(baseline)インプリメンテーションに関する複数の仮定は、ＰＵＣＣＨについて、ＢＰＩＣＨ送信が存在しないこと、及びＣＱＩ及びＡＣＫは、一緒に送信されるとき、共に符号化されることを含むことができる。ＰＵＳＣＨについては、ＢＰＩＣＨ（送信される場合）は、他の複数のＯＦＤＭ記号を用いて時分割多重化（ＴＤＭ’ｄ）される。すべてのＯＦＤＭ記号上に等しい利得が存在する。ＰＵＳＣＨにおける複数のデータ記号及び複数のオーバーヘッド記号（データ中にパンクチャされた(punctured)）上の利得は独立して制御されることができる。同じ変調は、ＰＵＳＣＨにおける複数のオーバーヘッド記号及び複数のデータ記号のために使用される。
【００３１】
別の態様においては、ＰＵＣＣＨは該ベースラインについて記載された通りである。ＰＵＳＣＨは一般に、等しい利得が複数のデータ記号及び複数のオーバーヘッド記号（データ中にパンクチャされた）上において与えられることを除いて、該ベースラインと同じである。
【００３２】
付加的な態様において、ＢＰＩＣＨ（送信される場合）は、他の複数のＯＦＤＭ記号（ＰＵＣＣＨ及びＰＵＳＣＨ）を用いてＴＤＭ’ｄされる。ＢＰＩＣＨ利得は、他の複数のＯＦＤＭ記号（ＰＵＣＣＨ及びＰＵＳＣＨ）から独立して制御されることができる。ＰＵＣＣＨについては、ＣＱＩ及びＡＣＫは独立してパワー制御される。ＰＵＳＣＨについては、ＰＵＳＣＨにおける複数のデータ記号及び複数のオーバーヘッド記号（データ中にパンクチャされた）上の利得は、独立して制御されることができる。オーバーヘッド変調はデータ変調の関数ではない。前述された複数の特徴は表１に要約されている。  
【表１】
2012501602.tif 000003
【００３３】
図２には、無線通信システム中のアップリンク上のＣＱＩ及びＡｃｋの送信パワー制御のための複数の動作の方法またはシーケンス２００が与えられている。ＵＥは、基地局（例えば、ｅＮＢ）からのダウンリンク上で基準信号（例えば、パイロット）を受信する（ブロック２０２）。該ＵＥは、該基準信号のために記号当たりの受信されたエネルギを使用して送信パワー・スペクトル密度を決定する（ブロック２０４）。該ＵＥは、送信パワー・スペクトル密度に基づいてトラヒック・チャネル及びオーバーヘッド・チャネルのアップリンクに関する開ループ・パワー制御を行なう（ブロック２０６）。例えば、該ＵＥは、サービング(serving)・ノードにおける雑音オーバー（noise over）((ＮｏＷ)Node B）指数と、該サービング・ノードにおける雑音指数（ＮＦNode B）と、該サービング・ノードに関するダウンリンク送信パワー・スペクトル密度（ＴｘＰＳＤDL）値と、ユーザ装置に関するアップリンク受信パワー・スペクトル密度（ＲｘＰＳＤul）値とを加えたものから、該サービング・ノードにおけるアップリンクの干渉オーバー熱雑音(interference-over-thermal noise)（ＩｏＴ）値を引いたものに等しいように決定された開ループ調節値に基づいて開ループ・パワー制御を行なうことができる。該ＵＥは該オーバーヘッド・チャネルあるいは該トラヒック・チャネルのいずれか上で開ループ・パワー制御によって決定された該送信パワー・スペクトル密度に依存する肯定応答（Ａｃｋ）及びチャネル品質フィードバック（例えば、ＣＱＩ）をそれぞれ送信する（ブロック２０８）。
【００３４】
該ｅＮＢは、トラヒック・チャネル及びオーバーヘッド・チャネルのうちの決定された１つのものの上の該ＵＥからの該アップリンク上の該チャネル品質フィードバックを受信する（ブロック２１０）。該ｅＮＢは、該チャネル品質フィードバックに関する検出信頼(confidence)値（例えば、消去レート）を決定する（ブロック２１２）。該ｅＮＢは、該検出信頼値を目標に維持するために該トラヒック・チャネル及びオーバーヘッド・チャネルのうちの該決定された１つのものに関するアウタ・ループ・パワー制御を行なう（ブロック２１４）。該ｅＮＢは、アウタ・ループ・パワー制御を行なうことに応じて該チャネル品質フィードバックのアップリンクを伝送する該トラヒック・チャネル及びオーバーヘッド・チャネルのうちの選択された１つのものの送信パワーを調節するために該ユーザ装置にコマンドを送信する（ブロック２１６）。該ｅＮＢは、該トラヒック・チャネル及びオーバーヘッド・チャネルに関する閉ループ・パワー制御を行なう（ブロック２１８）。
【００３５】
図３に示されている例において、基地局３１０ａ、３１０ｂ及び３１０ｃは、複数のマクロ・セル３０２ａ、３０２ｂ及び３０２ｃのそれぞれのための複数のマクロ基地局であることができる。基地局３１０ｘは、端末３２０ｘと通信するピコ・セル３０２ｘのためのピコ基地局であることができる。基地局３１０ｙは、端末３２０ｙと通信するフェムト・セル３０２ｙのためのフェムト基地局であることができる。簡明化のために図３には示されていないが、該複数のマクロ・セルはその複数の端(edges)がオーバーラップすることができる。該複数のピコ及びフェムト・セルは該複数のマクロ・セル内に位置されることができ（図３に示されているように）、あるいは複数のマクロ・セル及び／または他の複数のセルとオーバーラップすることができる。
【００３６】
無線ネットワーク３００はまた、例えば、端末３２０ｚと通信する中継局３１０ｚ等の、複数の中継局を含むことができる。中継局は、上流の(upstream)局からデータ及び／または他の情報の送信を受信し、及び下流の(downstream)局へ該データ及び／または他の情報の送信を送る局である。該上流の局は基地局、別の中継局、あるいは端末であることができる。該下流の局は端末、別の中継局、あるいは基地局であることができる。中継局はまた、他の複数の端末のための複数の送信を中継する端末であることができる。中継局は複数の低再利用プリアンブル(reuse preambles)を送受信することができる。例えば、中継局はピコ基地局と同様のやり方で低再利用プリアンブルを送信することができ、及び端末と同様のやり方で複数の低再利用プリアンブルを受信することができる。
【００３７】
ネットワーク・コントローラ３３０は１組の基地局に結合され、これらの基地局の調整(coordination)と制御を行なうことができる。ネットワーク・コントローラ３３０は単一のネットワーク・エンティティ(entity)あるいは複数のネットワーク・エンティティを集めたもの(collection)であることができる。ネットワーク・コントローラ３３０は、バックホール(backhaul)を介して複数の基地局３１０と通信することができる。バックホール・ネットワーク通信３３４は、このような分散形アーキテクチャを使用して複数の基地局３１０ａ−３１０ｃの間におけるポイント・ツー・ポイント通信を容易にすることができる。複数の基地局３１０ａ−３１０ｃはまた、例えば、無線またはワイヤライン(wireline)のバックホールを介して直接的にあるいは間接的に、互いと通信することができる。
【００３８】
無線ネットワーク３００は、複数のマクロ・基地局だけを含む均質(homogeneous)ネットワーク（図３に示されていない）であることができる。無線ネットワーク３００はまた、例えば、複数のマクロ・基地局、複数のピコ・基地局、複数のホーム・ベース局、複数の中継局等の、様々なタイプの複数の基地局を含む異種(heterogeneous)ネットワークであることができる。これらの様々なタイプの基地局は、無線ネットワーク３００において干渉に様々な影響を与え、様々なカバレージ・エリア、及び様々な送信パワー・レベルを有することができる。例えば、複数のマクロ・基地局は高い送信パワー・レベル（例えば、２０ワット）を有することができ、一方複数のピコ・基地局及び複数のフェムト・基地局は低い送信パワー・レベル（例えば、９ワット）を有することができる。ここに記述された複数の技術は、均質ネットワーク及び異種ネットワークのために使用されることができる。
【００３９】
複数の端末３２０は、無線ネットワーク３００の全体にわたって分散されることができ、各端末は静止したものであることができ、あるいは可動性のものであることができる。端末はまた、アクセス端末（ＡＴ）、移動局（ＭＳ）、ユーザ装置（ＵＥ）、加入者ユニット、局等と呼ばれることができる。端末は、セルラー・ホン(cellular phone)、携帯情報端末(personal digital assistant)（ＰＤＡ）、無線モデム、ワイヤレス通信デバイス、ハンドヘルド(handheld)デバイス、ラップトップ・コンピュータ、コードレス・ホン、無線ローカル・ループ（ＷＬＬ）局等であることができる。端末は、ダウンリンク及びアップリンクを介して基地局と通信することができる。該ダウンリンク（あるいは順方向リンク）は基地局から端末への通信リンクを指し、また、該アップリンク（あるいは逆方向リンク）は端末から基地局への通信リンクを指す。
【００４０】
端末は複数のマクロ基地局、複数のピコ基地局、複数のフェムト基地局、及び、または、他の複数のタイプの基地局と通信することが可能であり得る。図３においては、２つの矢先を備えた実線は、サービング基地局と端末との間における望まれる複数の送信を示し、該サービング基地局は該ダウンリンク及び／またはアップリンク上で該端末にサービスする(serve)ように指定された基地局である。２つの矢先を備えた破線は、端末と基地局との間における複数の干渉(interfering)送信を示す。干渉(interfering)基地局は、該アップリンク上の端末からの干渉を観察する、及び／または、該ダウンリンク上の端末への干渉を引き起こす基地局である。
【００４１】
無線ネットワーク３００は、同期または非同期の動作をサポートすることができる。同期動作について、複数の基地局は同じフレーム・タイミングを有することができ、異なる複数の基地局からの複数の送信は時間でアラインされる(aligned)ことができる。非同期動作について、複数の基地局は異なるフレーム・タイミングを有することができ、異なる複数の基地局からの複数の送信は時間でアラインされなくてもよい。非同期動作は複数のピコ及びフェムト基地局についてより一般的であることができ、それらは屋内に配置されることができ、全地球測位システム（ＧＰＳ）のような同期ソース(synchronizing source)にアクセスしなくてもよい。
【００４２】
１つの態様において、システム容量を改善するために、それぞれの基地局３１０ａ−３１０ｃに対応するカバレージ・エリア３０２ａ、３０２ｂ、あるいは３０２ｃは、より小さいマルチプル(multiple)のエリア（例えば、エリア３０４ａ、３０４ｂ、及び３０４ｃ）に分割されることができる。より小さなエリア３０４ａ、３０４ｂ、及び３０４ｃの各々は、それぞれのベース・トランシーバ・サブシステム（ＢＴＳ（示されていない））によってサービスされることができる。技術において一般的に及びここにおいて使用されるように、「セクタ」という用語は、その用語が使用される文脈に依存してＢＴＳ及び／またはそのカバレージ・エリアを指すことができる。１例において、セル３０２ａ、３０２ｂ、及び３０２ｃにおける複数のセクタ３０４ａ、３０４ｂ、３０４ｃは、基地局３１０における（示されていない）複数のアンテナの複数のグループによって形成されることができ、ここで各グループのアンテナは、セル３０２ａ、３０２ｂ、あるいは３０２ｃの一部分における複数の端末３２０との通信を行なうことができる。例えば、セル３０２ａにサービスする基地局３１０は、セクタ３０４ａに対応する第１のアンテナ・グループ、セクタ３０４ｂに対応する第２のアンテナ・グループ、及びセクタ３０４ｃに対応する第３のアンテナ・グループを有することができる。しかしながら、ここに開示された様々な態様は、セクタ化された(sectorized)及び／またはセクタ化されていない(unsectorized)複数のセルを有するシステム中で使用されることができることが認識されるべきである。さらに、セクタ化された及び／またはセクタ化されていない任意の数のセルを有するすべての適切な無線通信ネットワークは、ここに添付された複数の請求項の技術的範囲内にあるように意図されていることが認識されるべきである。簡明にするために、ここにおいて使用されている「基地局」という用語は、セルにサービスする局及びセクタにサービスする局の両方を指すことができる。ここにおいて使用されるように、ディスジョイント(disjoint)リンク・シナリオの中のダウンリンク・セクタは隣接(neighbor)セクタであることが認識されるべきである。下記の説明は一般に、簡単化のために各端末が１つのサービング・アクセス・ポイントと通信するシステムに関するものであるが、複数の端末は任意の数のサービング・アクセス・ポイントと通信することができることが認識されるべきである。
【００４３】
図４を参照すると、１つの態様による多元接続無線通信システムが示されている。アクセス・ポイント（ＡＰ）４００は、マルチプルのアンテナ・グループを含み、１つのものは４０４及び４０６を含み、別のものは４０８及び４１０を含み、付加的なものは４１２及び４１４を含む。図４には、各アンテナ・グループに関して２つのアンテナだけが示されているが、しかしながら、もっと多いまたは少ないアンテナが各アンテナ・グループのために利用されることができる。アクセス端末（ＡＴ）４１６は、アンテナ４１２及び４１４と通信しており、ここで、アンテナ４１２及び４１４は順方向リンク４２０上で情報をアクセス端末４１６へ送信し、及び逆方向リンク４１８上でアクセス端末４１６から情報を受信する。アクセス端末４２２は、アンテナ４０６及び４０８と通信しており、ここで、アンテナ４０６及び４０８は順方向リンク４２６上でアクセス端末４２２へ情報を送信し、及び逆方向リンク４２４上でアクセス端末４２２から情報を受信する。ＦＤＤシステムにおいては、複数の通信リンク４１８、４２０、４２４及び４２６は様々な周波数を通信のために使用することができる。例えば、順方向リンク４２０は、逆方向リンク４１８によって使用されるものとは異なる周波数を使用することができる。
【００４４】
複数のアンテナの各グループ、及び、または、それらが通信することを意図されているエリアは、しばしば、アクセス・ポイントのセクタと呼ばれる。該態様においては、複数のアンテナ・グループのそれぞれは、アクセス・ポイント４００によってカバーされた該複数のエリアの、１つのセクタ中の複数のアクセス端末へ通信することを意図されている。
【００４５】
複数の順方向リンク４２０及び４２６上の通信において、アクセス・ポイント４００の複数の送信しているアンテナは、異なるアクセス端末４１６及び４２４のための複数の順方向リンクの信号対雑音比を改善するためにビームフォーミング(ビームフォーミング)を使用する。また、そのカバレージじゅうにランダムに分散された(scattered)複数のアクセス端末へ送信するためにビームフォーミングを使用したアクセス・ポイントは、単一のアンテナによってそれのすべてのアクセス端末へ送信するアクセス・ポイントよりも、近隣する複数のセルの中の複数のアクセス端末への少ない干渉を引き起こす。
【００４６】
アクセス・ポイントは該複数の端末と通信するために使用された固定された局であることができ、また、アクセス・ポイント、ノードＢ、あるいは他のある用語と呼ばれることができる。アクセス端末はまた、アクセス端末、ユーザ装置（ＵＥ）、無線通信デバイス、端末、アクセス端末、あるいは他のある用語と呼ばれることができる。
【００４７】
ここにおける複数の教示は、少なくとも１つの他のノードと通信するために様々なコンポーネントを使用するノード（例えば、デバイス）に組入れられることができる。図５は、複数のノードの間における通信を容易にするために使用され得るいくつかのサンプル・コンポーネントを示す。具体的には、図５は、無線デバイス５１０（例えば、アクセス・ポイント）及びＭＩＭＯシステム５００の無線デバイス５５０（例えば、アクセス端末）を示す。該デバイス５１０において、多くのデータ・ストリームのためのトラヒック・データはデータ・ソース５１２から送信（「ＴＸ」）データ・プロセッサ５１４に提供される。
【００４８】
いくつかの態様において、各データ・ストリームはそれぞれの送信アンテナで送信される。該ＴＸデータ・プロセッサ５１４は、符号化されたデータを提供するためにそのデータ・ストリームのために選択された特定の符号化スキーム(scheme)に基づいて各データ・ストリームのための該トラヒック・データをフォーマットし、符号化し、及びインターリーブする(interleaves)。
【００４９】
各データ・ストリームの符号化されたデータは、複数のＯＦＤＭ技術を使用して、パイロット・データを用いて多重化されることができる。該パイロット・データは典型的に、既知のやり方で処理される既知のデータ・パターンであり、該チャネル応答を推定する(estimate)ために受信機システムで使用されることができる。各データ・ストリームの該多重化されたパイロット及び符号化されたデータは、その後、複数の変調記号を提供するために、そのデータ・ストリームのために選択された特定の変調スキーム（例えば、ＢＰＳＫ、ＱＳＰＫ、Ｍ−ＰＳＫ、あるいはＭ−ＱＡＭ）に基づいて変調される（すなわち、記号マップされる(symbol mapped)）。各データ・ストリームのデータ・レート、符号化、及び変調は、プロセッサ５３０によって行なわれた複数の命令によって決定されることができる。データ・メモリ５３２は、該プロセッサ５３０あるいは該デバイス５１０の他の複数のコンポーネントによって使用されるプログラム・コード、データ、及び他の情報を格納する(store)ことができる。
【００５０】
すべてのデータ・ストリームの該複数の変調記号は、その後、ＴＸ ＭＩＭＯプロセッサ５２０に提供され、それは複数の変調記号（例えば、ＯＦＤＭのための）をさらに処理することができる。該ＴＸ ＭＩＭＯプロセッサ５２０は、その後、送信機（ＴＭＴＲ）及び受信機（ＲＣＶＲ）をそれぞれが有しているＮTのトランシーバ（「ＸＣＶＲ」）５２２ａ乃至５２２ｔにＮTの変調記号ストリームを提供する。いくつかの態様において、該ＴＸ ＭＩＭＯプロセッサ５２０は、該複数のデータ・ストリームの該複数の記号に、及び該記号が送信されている該アンテナに、複数のビームフォーミング重み(weights)を適用する。
【００５１】
各トランシーバ５２２ａ−５２２ｔは、１つまたはそれより多くのアナログ信号を提供するようにそれぞれの記号ストリームを受信し処理し、及び該ＭＩＭＯチャネル上での送信に適した変調された信号を提供するように該複数のアナログ信号をさらに調整する(conditions)（例えば、増幅し、フィルタリングし(filters)、及びアップコンバートする(upconverts)）。トランシーバ５２２ａ乃至５２２ｔからのＮTの変調された信号は、その後、ＮTのアンテナ５２４ａ乃至５２４ｔからそれぞれ送信される。
【００５２】
デバイス５５０において、該送信された複数の変調された信号は、ＮRのアンテナ５５２ａ乃至５５２ｒによって受信され、各アンテナ５５２ａ−５５２ｒからの該受信された信号はそれぞれのトランシーバ（「ＸＣＶＲ」）５５４ａ−５５４ｒに提供される。各トランシーバ５５４ａ−５５４ｒは、受信されたそれぞれの信号を調整し（例えば、フィルタリングし、増幅し、及びダウンコンバートし(downconverts)）、複数のサンプルを提供するように該調整された信号をデジタル化し、及び対応した「受信された」記号ストリームを提供するために該複数のサンプルを処理する。
【００５３】
受信（「ＲＸ」）データ・プロセッサ５６０は、その後、ＮTの「検出された」記号ストリームを提供するために特定の受信機処理技術に基づいて、ＮR のトランシーバ５５４ａ−５５４ｒからのＮR の受信された記号ストリームを受信し処理する。該ＲＸデータ・プロセッサ５６０は、その後、データ・ストリームの該トラヒック・データを回復する(recover)ために、検出された各記号ストリームを復調し、デインターリーブし(deinterleaves)、復号する。該ＲＸデータ・プロセッサ５６０による処理は、デバイス５１０におけるＴＸデータ・プロセッサ５１４及びＴＸ ＭＩＭＯプロセッサ５２０によって行なわれたものに相補的(complementary)である。
【００５４】
プロセッサ５７０は、いずれのプリコーディング(pre-coding)マトリックスを使用すべきかを周期的に決定する。該プロセッサ５７０は、ランク値部分及びマトリックス・インデックス部分を備えた逆方向リンク・メッセージを公式化する(formulates)。データ・メモリ５７２は、該プロセッサ５７０あるいは該デバイス５５０の他の複数のコンポーネントによって使用されるプログラム・コード、データ、及び他の情報を格納することができる。
【００５５】
逆方向リンク・メッセージは、該受信されたデータ・ストリーム及び／または該通信リンクに関する様々なタイプの情報を備えることができる。該逆方向リンク・メッセージは、その後、ＴＸデータ・プロセッサ５３８によって処理され、それはまた、変調器５８０によって変調され、該複数のトランシーバ５５４ａ−５５４ｒにより調整され、該デバイス５１０に送信されて戻された、データ・ソース５３６からの多くのデータ・ストリームのためのトラヒック・データを受信する。
【００５６】
該デバイス５１０において、該デバイス５５０からの該複数の変調された信号は、複数のアンテナ５２４ａ−５２４ｔによって受信され、該複数のトランシーバ５２２ａ−５２２ｔによって調整され、復調器（「ＤＥＭＯＤ」）５４０によって復調され、該デバイス５５０によって送信された該逆方向リンク・メッセージを抽出するためにＲＸデータ・プロセッサ５４２によって処理される。該プロセッサ５３０は、その後、該複数のビームフォーミング重みを決定するためにいずれのプリコーディング・マトリックスを使用すべきかを決定し、その後該抽出されたメッセージを処理する。
【００５７】
図５はまた、該複数の通信コンポーネントが複数の干渉制御動作を行なう１つまたはそれより多くのコンポーネントを含み得ることを示す。例えば、干渉（「ＩＮＴＥＲ．」）制御コンポーネント５９０は、別のデバイス（例えば、デバイス５５０）との間で複数の信号を送受信するために該プロセッサ５３０及び、または該デバイス５１０の他の複数のコンポーネントと協力することができる。同様に、干渉制御コンポーネント５９２は、別のデバイス（例えば、デバイス５１０）との間で複数の信号を送受信するために該プロセッサ５７０及び／または該デバイス５５０の他の複数のコンポーネントと協力することができる。各デバイス５１０及び５５０について、該記載された複数のコンポーネントのうちの２つまたはそれより多くのものの機能性(functionality)は、単一のコンポーネントによって提供されることができることが認識されるべきである。例えば、単一の処理コンポーネントは干渉制御コンポーネント５９０及びプロセッサ５３０の機能性を提供することができ、単一の処理コンポーネントは干渉制御コンポーネント５９２及びプロセッサ５７０の機能性を提供することができる。
【００５８】
図６は、ＵＥによるアップリンク（ＵＬ）送信及びノードＢによるダウンリンク（ＤＬ）送信６００を示す。該ＵＥは、該ノードＢのためのダウンリンク・チャネル品質を周期的に推定し、該ノードＢにチャネル品質インジケータ（ＣＱＩ）情報を送ることができる。該ノードＢは、ダウンリンク送信のために該ＵＥを選択し、及び該ＵＥへのデータ伝送に適切な変調及び符号化スキーム（ＭＣＳ）を選択するために、該ＣＱＩ情報及び／または他の情報を使用することができる。送るべきトラヒック・データが存在しており、及び複数のシステム・リソースが利用可能であるとき、該ノードＢは１またはそれより多くのトランスポート(transport)・ブロックを処理して該ＵＥに送信することができる。該ＵＥは該ノードＢからのダウンリンク・データ送信を処理することができ、トランスポート(transport)・ブロックが正しく復号されている場合は肯定応答（ＡＣＫ）を送ることができ、あるいは該トランスポート・ブロックが誤って復号されている場合には否定応答（ＮＡＫ）を送ることができる。該ノードＢは、ＮＡＫが受信される場合にトランスポート・ブロックを再送信することができ、ＡＣＫが受信される場合には新しいトランスポート・ブロックを送信することができる。該ＵＥはまた、送信すべきトラヒック・データが存在しており、及び該ＵＥが複数のアップリンク・リソースを割り当てられているとき、該ノードＢに該アップリンク上の１またはそれより多くのトランスポート・ブロックを送信することができる。該ＵＥは任意の与えられたサブフレーム(subframe)でトラヒック・データ及び、または制御情報を送信することができ、あるいはいずれも送信しないことができる。該制御情報はＣＱＩ、ＡＣＫ及び、または他の情報を備えることができる。
【００５９】
該ノードＢは、物理ダウンリンク制御チャネル（ＰＤＣＣＨ）上の複数のリソース割り当てを送ることができ、物理ダウンリンク共用チャンネル（ＰＤＳＣＨ）上のトラヒック・データを送ることができる。該ＵＥは、物理的なアップリンク制御チャネル（ＰＵＣＣＨ）に関する制御情報を送り、物理的なアップリンクに共用されるチャンネル（ＰＵＳＣＨ）上のトラヒック・データを送ることができる。該複数のデータ及び制御チャネルはまた他の複数の名称で呼ばれることができる。
【００６０】
ＬＴＥは、アップリンク上で単一キャリア周波数分割多重化（ＳＣ−ＦＤＭ）を使用し、及びダウンリンク上で直交周波数多重化（ＯＦＤＭ）を使用する。ＯＦＤＭ及びＳＣ−ＦＤＭは、該システム帯域幅をマルチプル（Ｋ）の直交副搬送波に分割し、それらはまた一般にトーン、ビン等と呼ばれる。各副搬送波はデータを用いて変調されることができる。一般に、複数の変調記号はＯＦＤＭを用いて周波数領域において送られ、及びＳＣ−ＦＤＭを用いて時間領域において送られる。隣接した副搬送波間の間隔(spacing)は固定されることができ、複数の副搬送波の総数（Ｋ）は該システム帯域幅に依存することができる。例えば、Ｋは、１．２５、２．５、５、１０あるいは２０ＭＨｚのシステム帯域幅に関して、それぞれ、１２８、２５６、５１２、１０２４あるいは２０４８に等しいことができる。
【００６１】
図７は、該アップリンクのために使用され得る送信構造７００の設計を示す。該送信タイムライン(timeline)は、複数のサブフレームの複数のユニット(units)に分割されることができる。サブフレームは、例えば１ミリ秒(ms)等の、所定の持続期間を有することができ、２つのスロットに分割され得る。各スロットは、例えば、拡張された巡回プレフィックス(extended cyclic prefix)（ＣＰ）のための６つの記号期間あるいはノーマル(normal)巡回プレフィックスのための７つの記号期間等の、固定された数または構成可能な数の記号期間を含むことができる。
【００６２】
該アップリンクについて、Ｋの総副搬送波は利用可能であり、複数のリソース・ブロックへグループ化されることができる。各リソース・ブロックは１つのスロットの中にＮの副搬送波（例えば、複数の副搬送波）を含むことができる。該利用可能な複数のリソース・ブロックは、ＰＵＳＣＨ領域及びＰＵＣＣＨ領域へ分割されることができる。該ＰＵＣＣＨ領域は、図７に示されるように、該システム帯域幅の２つの端の近くに複数のリソース・ブロックを含むことができる。該ＰＵＳＣＨ領域は、該ＰＵＣＣＨ領域に割り当てられないすべてのリソース・ブロックを含むことができる。与えられたＵＥは、ノードＢに制御情報を送信するために該ＰＵＣＣＨ領域からの複数のリソース・ブロックを割り当てられることができる。該ＵＥはまた、該ノードＢにトラヒック・データを送信するために該ＰＵＳＣＨ領域からの複数のリソース・ブロックを割り当てられることができる。該複数のリソース・ブロックは一対にされる(paired)ことができ、アップリンク送信は、１つのサブフレーム中において両スロットにまたがる(span)ことができる。与えられたＰＵＣＣＨ送信について、図４に示されるように、１つの帯域端の近くの１つのリソース・ブロックは１つのサブフレームの第１のスロット中で使用されることができ、該反対側の帯域端の近くの別のリソース・ブロックは該サブフレームの第２のスロット中で使用されることができる。
【００６３】
図８は、該ＰＵＳＣＨ上の一例の送信８００を示す。ノーマル巡回プレフィックスについて、図５に示されているように、各サブフレームは２つのスロットを含み、左スロットは７つの記号期間０乃至６を含み、右スロットは７つの記号期間７乃至１３を含む。図８に示されている例では、ＵＥは該ＰＵＳＣＨのために２つのリソース・ブロックを割り当てられている。図８に示されるように、周波数ホッピング(hopping)が可能にされているとき、該２つのリソース・ブロックは、副搬送波の異なるセットを占有することができる。各リソース・ブロックは複数のリソース要素を含む。各リソース要素は１つの記号期間において１つの副搬送波をカバーし(covers)、１つの変調記号を送るために使用されることができる。
【００６４】
該ＵＥは、各スロットの１つまたはそれより多くの記号期間において復調基準信号（ＤＲＳ）を送ることができる。該ＵＥはまた、サブフレームの１つまたはそれより多くの記号期間においてサウンディング基準信号（ＳＲＳ）を送信することができる。基準信号はまたパイロット、サウンディング、等と呼ばれることができる。該サウンディング基準信号はまた広帯域パイロット・チャネル（ＢＰＩＣＨ）と呼ばれることができ、所定の(predetermined)レートで送られることができ、与えられたサブブレームの中に存在することができ、あるいは存在しないことができる。該ＵＥは、該複数の復調及びサウンティング基準信号のために使用されない複数のリソース要素においてトラヒック・データ及び、または制御情報のための複数の変調記号を送信することができる。該復調基準信号は、該複数の変調記号のコヒーレント検出のために該ノードＢによって使用されることができる。該サウンディング基準信号は、該ＵＥのための該アップリンクの該受信された信号品質を推定するためにノードＢによって使用されることができる。
【００６５】
１態様において、パワー制御は、該アップリンク上で送られたトラヒック・データ及び制御情報のために行なわれることができる。１つの設計においては、パワー制御は、開ループ・パワー制御と閉ループ・パワー制御の組合せを用いてインプリメントされることができる。閉ループ・パワー制御は、アウタ・ループとインナー(inner)・ループの組合せを用いてインプリメントされることができる。
【００６６】
１つの設計において、開ループ・パワー制御は、基準信号のための記号当りエネルギに基づくことができ、それはＥs,ｒｅｆｅｒｅｎｃｅ＿ｓｉｇｎａｌ として表わされることができる。ＵＥは、ノードＢが該基準信号を送信する帯域幅全体にわたってＥs,ｒｅｆｅｒｅｎｃｅ＿ｓｉｇｎａｌを測定し平均することができる。開ループ・パワー制御について、該ＵＥの該送信パワーは下記のように決定されることができる：
【数１】
2012501602.tif 000004
【００６７】
ここで、ＴｘＰＳＤULは該ＵＥの送信パワー・スペクトル密度（ＰＳＤ）であり、
ＲｘＰＳＤULは該ノードＢにおける受信ＰＳＤであり、
ＴｘＰＳＤDLは該ノードＢの送信ＰＳＤであり、
ＮＦNodeBは該ノードＢにおける雑音指数であり、
（ＮｏＷ）NodeBは該ノードＢにおける雑音オーバーであり、
ＩｏＴは、該ノードＢにおける干渉オーバー熱である。
【００６８】
１つの設計において、制御情報に関する閉ループ・パワー制御はアウタ・ループ及びインナー・ループを用いてインプリメントされ得る。１つの設計では、制御情報のための該アウタ・ループは下記を行なうことができる。  
（ｉ）目標ＣＱＩ消去レートを得るために該ＰＵＣＣＨ（ＣＱＩが該ＰＵＣＣＨ上で送られる場合）に関する目標パイロットの信号対雑音及び干渉比（ＳＩＮＲ）を調節する。  
（ｉｉ）該目標ＣＱＩ消去レートを得るために（複数の）ＣＱＩ変調記号の該利得（ＣＱＩが該ＰＵＳＣＨ上で送られる場合）を調節する。これは、ＡＣＫとＣＱＩのパフォーマンスが、該ＰＵＳＣＨ上で送られる場合は該ＰＵＳＣＨ上の該パイロットによって制限されないことを仮定している。  
（ｉｉｉ）目標ＣＱＩ消去レートが達成される場合、目標ＮＡＫ対ＡＣＫ誤り率を得るためにＣＱＩの該利得に対するＡＣＫの該利得を定める。  
（ｉｖ）ＣＱＩがＰＵＣＣＨからＰＵＳＣＨに切り替わるとき、ＣＱＩの該利得を調節する。該ＣＱＩ利得は、該ＢＰＩＣＨ（例えば、該帯域幅全体にわたる）の該送信パワーと、該ＰＵＣＣＨ上の該パイロットの該送信パワーとの間の差だけ調節され得る。  
（ｖ）ＣＱＩがＰＵＳＣＨからＰＵＣＣＨへ切り替わるとき、ＣＱＩの該利得を調節する。該ＣＱＩ利得は、該ＢＰＩＣＨ（例えば、該ＰＵＣＣＨのために使用された該複数のリソース・ブロックにわたる）の該送信パワーと該ＰＵＳＣＨ上の該パイロットの該送信パワーとの間の差だけ調節されることができる。  
（ｖｉ）（波形のＬＦＤＭ性質による）遷移におけるＣＱＩのために追加のパワー・ブーストを、必要とされるならば、適用する。該送信パワー調節はまた、該ＰＵＣＣＨの該目標パイロットＳＩＮＲ及び該ＢＰＩＣＨの該目標ＳＩＮＲを説明することができる。
【００６９】
１つの設計において、制御情報のためのインナー・ループは下記を行なうことができる。  
（ｉ）該ＰＵＣＣＨのパイロットＳＩＮＲを、該アウタ・ループによって設定された該目標パイロットＳＩＮＲに維持するために複数のＵＰ／ＤＯＷＮコマンド（１つまたはそれより多くの適切なステップ・サイズを備えた）を適用する（制御情報が該ＰＵＣＣＨ上で送られる場合）。  
（ｉｉ）（複数の）ＣＱＩ変調記号の該ＳＩＮＲを、該アウタ・ループによって設定された該目標ＳＩＮＲに維持するために複数のＵＰ／ＤＯＷＮコマンドを適用する（ＣＱＩが該ＰＵＳＣＨの上で送られる場合）。  
（ｉｉｉ）例えば、グループ化されたパワー制御を用いて、ＰＤＣＣＨ上で複数のパワー制御コマンドを送る。
【００７０】
１つの設計においては、トラヒック・データに関する閉ループ・パワー制御はアウタ・ループ及びインナー・ループを用いてインプリメントされることができる。１つの設計において、トラヒック・データのための該アウタ・ループは下記を行なうことができる。  
（ｉ）各トランスポート・ブロックに関する目標数のＨＡＲＱ送信について目標ブロック誤り率（ＢＬＥＲ）を得るために該ＰＵＳＣＨのための目標パイロットＳＩＮＲを調節する。ハンドルの長期のチャネル変化(variation)を処理する(handle)。
【００７１】
１つの設計では、トラヒック・データのためのインナー・ループは下記を行なうことができる。  
（ｉ）該ＰＵＳＣＨの該パイロットＳＩＮＲを、該目標パイロットＳＩＮＲ（該アウタ・ループによって設定される）に維持する。該ＵＥによって観察されたＩｏＴ及び短期チャネル変化を処理する。  
（ｉｉ）トランスポート・ブロックの各ＨＡＲＱ送信のデルタＰＳＤはまた、例えば、該ＵＥによって引き起こされた他セル干渉を処理するために調節され得る。該調節は、該ノードＢによって、あるいはローディング情報チャネル（ＬＩＣＨ）上で送られたローディング情報(loading information)に基づいて該ＵＥによって行なわれることができる。
【００７２】
図９は、ＵＥによって行なわれたプロセス９００の設計を示す。該ＵＥは、データ・チャネル（例えば、該ＰＵＳＣＨ）上でトラヒック・データを送ることができる（ブロック９１２）。該ＵＥは、制御チャネル（例えば、ＰＵＣＣＨ）あるいはデータ・チャネルのいずれか上で制御情報を送ることができる（ブロック９１４）。該ＵＥは、該トラヒック・データに関するパワー制御を行なうことができる（ブロック９１６）。該ＵＥはまた、該制御情報が該制御チャネル上で送られるのか、あるいは該データ・チャネル上で送られるのかに依存して、様々なパワー制御メカニズムに基づいて該制御情報に関するパワー制御を行なうことができる（ブロック９１８）。
【００７３】
該ＵＥは、該制御チャネル上で送られた該制御情報に関する複数のパワー制御コマンドを受信することができる。該ＵＥは、該制御チャネルのためのパイロットＳＩＮＲを目標ＳＩＮＲに維持するために該制御チャネルの該送信パワーを調節することができる。該ＵＥは、該データ・チャネル上で送られた該制御情報に関する複数のパワー制御コマンドを受信することができる。該ＵＥは、該制御情報に関するＳＩＮＲを目標ＳＩＮＲに維持するために該制御情報の利得を調節することができる。１つの設計では、該ＵＥは、該制御チャネルと該データ・チャネルとの間で切り替わるときに該制御情報の利得を調節することができる。該ＵＥはまた、該制御チャネルと該データ・チャネルとの間で切り替わるときに該制御情報のパワー・ブーストを適用し得る。
【００７４】
１つの設計において、該ＵＥは、該制御情報の目標消去レートを維持するために該制御情報の該利得を調節することができる。該制御情報は、ＡＣＫ情報及びＣＱＩ情報を備えることができる。該ＵＥは、該ＣＱＩ情報の該目標消去レートを得るために該ＣＱＩ情報の第１の利得を調節することができる。該ＵＥは、該ＡＣＫ情報の目標ＮＡＫ対ＡＣＫ誤り率を得るために該第１の利得に対する該ＡＣＫ情報の第２の利得を調節し得る。
【００７５】
該ＵＥは、パイロットＳＩＮＲを目標ＳＩＮＲに維持するために該データ・チャネルの送信パワーを調節し得る。該ＵＥはまた、少なくとも１つの非サービング・セルに関する干渉情報に基づいて該データ・チャネルの送信パワーを調節することができる。
【００７６】
図１０は、下記に説明されるノードＢによって、あるいは他のあるネットワーク・エンティティによって行なわれたプロセス１０００の設計を示す。該ノードＢは、ＵＥからデータ・チャネル（例えば、ＰＵＳＣＨ）上でトラヒック・データを受信することができる（ブロック１０１２）。該ノードＢは、該ＵＥから該データ・チャネルあるいは制御チャネル（例えば、ＰＵＣＣＨ）のいずれか上で制御情報を受信することができる（ブロック１０１４）。該ノードＢは、トラヒック・データに関するパワー制御を行なうことができる（ブロック１０１６）。該ノードＢはまた、該制御情報が該制御チャネル上で受信されるか、あるいは該データ・チャネル上で受信されるかに依存して、様々なパワー制御メカニズムに基づいて該制御情報に関するパワー制御を行なうことができる（ブロック１０１８）。
【００７７】
制御情報が該制御チャネル上で受信されるとき、該ノードＢは、該制御情報の目標消去レートを得るために該制御チャネルの目標ＳＩＮＲを調節し得る。該ノードＢは、その後、該制御チャネルのパイロットＳＩＮＲを該目標ＳＩＮＲに維持するために該制御情報に関する複数のパワー制御コマンドを生成し得る。制御情報が該データ・チャネル上で受信されるとき、該ノードＢは該制御情報のＳＩＮＲを該目標ＳＩＮＲに維持するために該制御情報に関する複数のパワー制御コマンドを生成することができる。該ノードＢはまた、該トラヒック・データのための目標ＢＬＥＲを得るために該データ・チャネルの目標ＳＩＮＲを調節することができる。
【００７８】
図１１には、物理アップリンク制御チャネル（ＰＵＣＣＨ）用のような、望まれるアップリンク（ＵＬ）波形を生成するためのシステム１１００が示されている。ＰＵＣＣＨ上で送信されたＣＱＩだけのための、Ａｃｋだけのための、あるいはＣＱＩとＡｃｋの両者のためのような、一様の(uniform)チャネル品質インジケータ（ＣＱＩ）及び肯定応答（Ａｃｋ）の構造がサポートされている。さらに、ＣＱＩ及び、またはＡｃｋのための同じ構造は、ＰＵＣＣＨ及び物理アップリンク共用チャンネル（ＰＵＳＣＨ）において提供される。これは、データ・アクティビティ・ファクタ(data activity factor)またはソース「バースト性(burstiness)」にかかわらず、ＣＱＩ消去レートが目標に維持されることを可能にする。
【００７９】
ＣＱＩチェーン(chain)１１０２は、ＭビットのＣＱＩデータ１１０４を受け取り、（２４，Ｍ）ブロック符号化コンポーネント１１０６を通って２４の記号１１０８を生成し、スクランブリング(scrambling)・コンポーネント１１１０を通過し、次に４位相偏移変調（ＱＰＳＫ）変調コンポーネント１１１２を通って１２のＱＰＳＫ記号１１１４を生成する。後者はＣＱＩ送信（Ｔｘ）利得コンポーネント１１１６を通過し、その出力はシーケンス拡散コンポーネント（すなわち、循環シフト(cyclic shift)Ｘ，ＳＰ＝１２）１１１８を通過し、その出力は加算器１１２０に進む。
【００８０】
Ａｃｋ／Ｎａｋチェーン１１３０は１ビットの肯定応答データ１１３２を受け取り、繰り返し(repetition)コンポーネント（１２Ｘ）１１３４を通って１２の記号１１３６を生成し、２進位相偏移変調（ＢＰＳＫ）変調コンポーネント１１３８を通って１２のＢＰＳＫ記号１１４０を生成し、Ａｃｋ Ｔｘ利得コンポーネント１１４２に進み、該コンポーネント１１４２の利得はＣＱＩ Ｔｘ利得コンポーネント１１１６と協力している。該コンポーネント１１４２の出力は、シーケンス拡散コンポーネント（すなわち、循環シフトＸ、ＳＰ＝１２）１１４４を通過し、その出力は加算器１１２０に進んでＬ−ＦＤＭ（局所化された周波数分割多重化）記号当り１２の記号１１４６を生成し、これが時分割多重化（ＴＤＭ）マルチプレクサ１１４８に進むと、それはＰＵＳＣＨのデータ・ストリーム中にパンクチャされることができる。
【００８１】
基準信号チェーン１１５０は拡散コンポーネント１１５２を通り、ＣＱＩ Ｔｘ利得コンポーネント１１５４を通り、シーケンス拡散コンポーネント（循環シフトＸ、ＳＰ＝１２）１１５６を通って、ＴＤＭマルチプレクサ１１４８に進む。
【００８２】
サウンディング基準信号チェーン１１６０は、拡散コンポーネント１１６２を通り、ＳＲＳ利得コンポーネント１１６４を通り、シーケンス拡散コンポーネント（循環シフトＺ、ＳＰ＝１２）１１６６を通り、ＴＤＭマルチプレクサ１１４８に進む。
【００８３】
ＴＤＭマルチプレクサ１１４８はサブフレーム中において１４の記号１１７０を生成し、ＰＵＣＣＨリソース・ブロック（ＲＢ）割当て１１７４によって制御されたトーン・マッピング(tone mapping)・コンポーネント１１７２に進む。トーン・マップされた複数の記号は、逆高速フーリエ変換（ＩＦＦＴ）コンポーネント（サイズ＝２０４８）１１７６を通り、ハーフ・トーン・シフトのためのフェーズ・ランピング(phase ramping for half tone shift)・コンポーネント１１７８を通り、巡回プレフィックス追加(appending)コンポーネント１１８０を通り、時間領域ウィンドウィング(windowing)・コンポーネント１１８２を通り、オーバーラッピング及び追加(adding)コンポーネント１１８４を通って、無線周波数（ＲＦ）送信（Ｔｘ）のために１つのＳＣ−ＦＤＭ（単一キャリア周波数分割多重化）記号分のＣ×１のサンプル１１８６を生成する。
【００８４】
図１２を参照すると、無線通信システム中においてアップリンクを送信するシステム１２００が示されている。例えば、システム１２００は、ユーザ装置（ＵＥ）内において少なくとも部分的に存在することができる。システム１２００は複数の機能ブロックを含むものとして表わされており、それらは、計算プラットフォーム、プロセッサ、ソフトウェア、あるいはその組合せ（例えば、ファームウェア）によってインプリメントされた複数の機能を表わす複数の機能ブロックであり得ることが認識される。システム１２００は、一緒に動作することのできる複数の電気コンポーネントの論理グループ化１２０２を含む。例えば、論理グループ化１２０２は、ダウンリンク上の基準信号を受信する電気コンポーネント１２０４を含むことができる。さらに、論理グループ化１２０２は、基準信号に関する記号当りの受信されたエネルギを使用して送信パワー・スペクトル密度を決定する電気コンポーネント１２０６を含むことができる。さらに、論理グループ化１２０２は、送信パワー・スペクトル密度に基づいてトラヒック・チャネル及びオーバーヘッド・チャネルのアップリンクに関する開ループ・パワー制御を行なう電気コンポーネント１２０８を含むことができる。また、論理グループ化１２０２は、該トラヒック・チャネルあるいは該オーバーヘッド・チャネルのいずれか上で開ループ・パワー制御によって決定された送信パワー・スペクトル密度に依存する肯定応答及びチャネル品質フィードバックをそれぞれ送信する電気コンポーネント１２１０を含むことができる。さらに、システム１２００は、複数の電気コンポーネント１２０４−１２１０に関連した複数のファンクション(functions)を実行する複数の命令を保存するメモリ１２２０を含むことができる。メモリ１２２０の外部にあるものとして示されているが、電気コンポーネント１２０４−１２１０のうちの１つまたはそれより多くのものはメモリ１２２０内に存在することができることが理解される。
【００８５】
図１３を参照すると、無線通信システム中においてアップリンクを受信するシステム１３００が示されている。例えば、システム１３００は、ネットワーク・エンティティ（例えば、進化型ノード・ノード）内に少なくとも部分的に存在することができる。システム１３００は複数の機能ブロックを含むものとして表わされ、それらは計算プラットフォーム、プロセッサ、ソフトウェア、あるいはその組合せ（例えば、ファームウェア）によってインプリメントされた複数のファンクションを表わす複数の機能ブロックであり得ることが認められる。システム１３００は、一緒に動作することができる複数の電気コンポーネントの論理グループ化１３０２を含む。例えば、論理グループ化１３０２は、トラヒック・チャネル及びオーバーヘッド・チャネルのうちの決定された１つのものの上でユーザ装置からのアップリンク上のチャネル品質フィードバックを受信する電気コンポーネント１３０４を含むことができる。さらに、論理グループ化１３０２は、該チャネル品質フィードバックに関する検出信頼値を決定する電気コンポーネント１３０６を含むことができる。さらに、論理グループ化１３０２は、該検出信頼値を目標に維持するために該トラヒック・チャネル及びオーバーヘッド・チャネルのうちの該決定された１つのものに関するアウタ・ループ・パワー制御を行なう電気コンポーネント１３０８を含むことができる。さらに、論理グループ化１３０２は、アウタ・ループ・パワー制御を行なうことに応じて該チャネル品質フィードバックのアップリンクを伝送する該トラヒック・チャネル及びオーバーヘッド・チャネルのうちの選択された１つのものの送信パワーを調節するために、コマンドを該ユーザ装置に送信する電気コンポーネント１３１０を含むことができる。さらに、システム１３００は、複数の電気コンポーネント１３０４−１３１０に関連した複数のファンクションを実行するための複数の命令を保存するメモリ１３２０を含むことができる。１またはそれより多くの電気コンポーネント１３０４−１３１０は、メモリ１３２０の外部にあるものとして示されているが、メモリ１３２０内に存在することができることが理解される。
【００８６】
図１４には、無線通信システムにおいてアップリンクを送信するための装置１４０２が示されている。ダウンリンク上の基準信号を受信するための手段１４０４が提供される。
【００８７】
該ダウンリンク基準信号に関する記号当りの受信されたエネルギを使用して送信パワー・スペクトル密度を決定するための手段１４０６が提供される。該送信パワー・スペクトル密度に基づいてトラヒック・チャネル及びオーバーヘッド・チャネルのアップリンクに関する開ループ・パワー制御を行なうための手段１４０８が提供される。該トラヒック・チャネルあるいは該オーバーヘッド・チャネルのいずれか上で開ループ・パワー制御によって決定された該送信パワー・スペクトル密度に依存する肯定応答及びチャネル品質フィードバックをそれぞれ送信するための手段１４１０が提供される。
【００８８】
図１５には、無線通信システムにおいてアップリンクを受信するための装置１５０２が示されている。トラヒック・チャネル及びオーバーヘッド・チャネルのうちの決定された１つのものの上でユーザ装置からのアップリンク上のチャネル品質フィードバックを受信するための手段１５０４が提供される。該チャネル品質フィードバックに関する検出信頼値を決定するための手段１５０６が提供される。該検出信頼値を目標に維持するために該トラヒック・チャネル及びオーバーヘッド・チャネルのうちの該決定された１つのものに関するアウタ・ループ・パワー制御を行なうための手段１５０８が提供される。アウタ・ループ・パワー制御を行なうことに応じて該チャネル品質フィードバックのアップリンクを伝送する該トラヒック・チャネル及びオーバーヘッド・チャネルのうちの選択された１つのものの送信パワーを調節するために、コマンドを該ユーザ装置に送信するための手段１５１０が提供される。
【００８９】
１つの方法、コンピュータ・プログラム製品、及び装置は、データ・チャネル上でトラヒック・データを送り、制御チャネルあるいは該データ・チャネルのいずれか上で制御情報を送り、該トラヒック・データに関するパワー制御を行ない、該制御情報は該制御チャネル上で送られるのか、あるいは該データ・チャネル上で送られるかのかに基づいて該制御情報に関するパワー制御を行なうことによって無線通信を提供することが本開示の利益と共に認識されるべきである。
【００９０】
物理アップリンク制御チャネル（ＰＵＣＣＨ）と物理アップリンク共用チャネル（ＰＵＳＣＨ）の間の切り替えに関する１つの特定の態様において、１つの方法、コンピュータ・プログラム製品、及び装置は、該データ・チャネルと該制御チャネルとの間で切り替わるときに該制御情報のための利得を調節することによって該制御情報に関するパワー制御を行なう。別の特定の態様において、１つの方法、コンピュータ・プログラム製品、及び装置は、該データ・チャネルと該制御チャネルとの間で切り替わるときに該制御情報のためのパワー・ブーストを適用することによって該制御情報に関するパワー制御を行なう。
【００９１】
別の特定の態様において、１つの方法、コンピュータ・プログラム製品、及び装置は、該データ・チャネル上で送られるときに該制御情報に関する目標消去レートを維持するために該制御情報の利得を調節することにより、該制御情報に関するパワー制御を行なう。付加的な態様において、１つの方法、コンピュータ・プログラム製品、及び装置は、肯定応答（ＡＣＫ）情報及びチャネル品質インジケータ（ＣＱＩ）情報を備える制御情報に関して、該制御情報に関するパワー制御を行なうことは、該ＣＱＩ情報に関する目標消去レートを得るために該ＣＱＩ情報の第１の利得を調節することによる、及び該ＡＣＫ情報に関する目標ＮＡＫ対ＡＣＫ誤り率を得るために第１の利得に対する該ＡＣＫ情報の第２の利得を調節することによる、と規定する。
【００９２】
特定の付加的な態様では、１つの方法、コンピュータ・プログラム製品、及び装置は、制御チャネル上で送られた制御情報に関する複数のパワー制御コマンドを受信することにより、及びパイロット信号対雑音及び干渉比（ＳＩＮＲ）を目標ＳＩＮＲに維持するように制御チャネルの送信パワーを調節することにより、該制御情報に関するパワー制御を行なうことを提供する。別の態様では、１つの方法、コンピュータ・プログラム製品、及び装置は、データ・チャネル上で送られた制御情報に関する複数のパワー制御コマンドを受信することにより、及び該制御情報に関する信号対雑音及び干渉比（ＳＩＮＲ）を目標ＳＩＮＲに維持するように制御情報の利得を調節することにより、該制御情報に関するパワー制御を行なうことを提供する。
【００９３】
データのためのインナー・ループに関する別の特定の態様においては、１つの方法、コンピュータ・プログラム製品、及び装置は、パイロットＳＩＮＲを目標ＳＩＮＲに維持するようにデータ・チャネルの送信パワーを調節することにより、トラヒック・データに関するパワー制御を行なうことを提供する。
【００９４】
干渉オーバー熱（ＩｏＴ）雑音に関する１つの特定の態様において、１つの方法、コンピュータ・プログラム製品、及び装置は、少なくとも１つの非サービング・セルに関する干渉情報に基づいてデータ・チャネルの送信パワーを調節することにより、トラヒック・データに関するパワー制御を行なうことを提供する。
【００９５】
当業者は、複数の信号及び情報はと信号が様々な異なるテクノロジー及び技術のうちの任意のものを使用して表わされ得ることを理解するであろう。例えば、上記の説明の全体にわたって参考として引用され(referenced)得るデータ、複数の命令、複数のコマンド、情報、複数の信号、複数のビット、複数の記号、及び複数のチップは、複数の電圧、複数の電流、複数の電磁波、複数の磁界または複数の磁気粒子、複数の光学フィールドまたは粒子、あるいはその任意の組合せで表わされることができる。
【００９６】
当業者は、ここに開示されている複数の態様に関して説明された様々な実例となる複数の論理ブロック、複数のモジュール、複数の回路、及び複数のアルゴリズム・ステップは、電子ハードウェア、コンピュータ・ソフトウェアあるいは両者の組合せとしてインプリメントされ得ることをさらに認識するであろう。ハードウェアとソフトウェアのこの互換性を明白に示すために、様々な例示的なコンポーネント、ブロック、モジュール、回路、及びステップは、それらの機能性の点から一般に上述されている。このような機能性がハードウェアとしてインプリメントされるのか、あるいはソフトウェアとしてインプリメントされるのかは、システム全体に課された複数の設計制約及び特定の用途に依存する。当業者は、各特定の用途の様々なやり方で該説明された機能性をインプリメントすることができるが、しかしこのようなインプリメンテーション決定は、本開示の技術的範囲からの逸脱を引き起こすものとして解釈されてはならない。
【００９７】
本願の中で使用されているように、「コンポーネント」、「モジュール」、「システム」、等の用語は、ハードウェア、ハードウェアとソフトウェアの組合せ、ソフトウェア、あるいは実行されているソフトウェアのいずれかの、コンピュータ関連エンティティを指すことを意図されている。例えば、コンポーネントは、プロセッサ上でランする(running)プロセス、プロセッサ、オブジェクト、実行可能なもの(an executable)、実行のスレッド、プログラム、及び／または、コンピュータであることができるが、それらに限定されない。例示によって、サーバ上でランするアプリケーションと該サーバの両方はコンポーネントであることができる。１またはそれより多くのコンポーネントは、実行のスレッド及び、またはプロセス内に存在することができ、コンポーネントは２またはそれより多くのコンピュータ間に分散されることができ、及び、または、１つのコンピュータ上に局在化される(localized)ことができる。
【００９８】
「典型的な」という単語は、例(example)、実例(instance)、あるいは実例(illustration)として役立つことを意味するためにここでは使用されている。「典型的な」としてここに記載された任意の態様または設計は、必ずしも、他の複数の態様または設計よりも好ましいあるいは有利であると解釈されるものではない。
【００９９】
様々な態様は、多くのコンポーネント、モジュール等を含むことのできる複数のシステムの点から示される。様々なシステムは、追加の複数のコンポーネント、複数のモジュール等を含み、及び、または、複数の図に関連して説明された複数のコンポーネント、複数のモジュール等の全ては含まなくてもよいことが理解され、認識されるであろう。これらのアプローチの組合せもまた使用されることができる。ここに開示された様々な態様は、複数のタッチ・スクリーン表示技術及び／または複数のマウス及びキーボードタイプのインターフェースを利用する複数のデバイスを含む複数の電気デバイスに関して行なわれることができる。そのような複数のデバイスの複数の例は、コンピュータ（デスクトップ及び移動体）、複数のスマートフォン、複数の携帯情報端末（ＰＤＡｓ）、及び他の複数の、配線式及び無線の電子デバイスを含む。
【０１００】
さらに、ここに開示された複数の態様に関連して記載された様々な例示的な論理ブロック、モジュール、及び回路は、ここに記載された複数の機能を行うように設計された汎用プロセッサ、デジタル信号プロセッサ（ＤＳＰ）、特定用途向け集積回路（ＡＳＩＣ）、フィールド・プログラム可能なゲート・アレイ（ＦＰＧＡ）あるいは他のプログラム可能な論理装置、デイスクリート(discrete)・ゲートまたはトランジスタ論理回路(transistor logic)、複数のデイスクリート・ハードウェア・コンポーネント、あるいはその任意の組合せを用いてインプリメントされ、あるいは行なわれることができる。汎用プロセッサはマイクロプロセッサであることができるが、しかし、別の実施形態においては、該プロセッサは任意のコンベンショナル・プロセッサ(conventional processor)、コントローラ、マイクロコントローラ、あるいは状態機械であることができる。プロセッサはまた、例えば、ＤＳＰコアに関連した１またはそれより多くのマイクロプロセッサ、複数のマイクロプロセッサ、１つのマイクロプロセッサと１つのＤＳＰの組合せ等の、複数の計算デバイスの組合せ、あるいは任意の他のこのような構成としてインプリメントされ得る。
【０１０１】
さらに、開示された複数の態様をインプリメントするようにコンピュータを制御するためのソフトウェア、ファームウェア、ハードウェア、あるいはその任意の組合せを生成するために複数の標準的なプログラミング及び、またはエンジニアリング技術を使用する製造品(article of manufacture)、装置、方法として、該１またはそれより多くの変形はインプリメントされることができる。ここで使用されている「製造品」（あるいは、その代わりに、「コンピュータ・プログラム製品」）という用語は、任意のコンピュータ可読デバイス、キャリア(carrier)、あるいは媒体からアクセス可能なコンピュータ・プログラムを含むように意図されている。例えば、コンピュータ可読媒体は、複数の磁気記憶デバイス（例えば、ハード・ディスク、フロッピー（登録商標）・ディスク、複数の磁気ストリップ・・）、複数の光ディスク（例えば、コンパクト・ディスク（ＣＤ）、デジタル多用途(versatile)ディスク（ＤＶＤ）・・）、複数のスマート・カード、及び複数のフラッシュ・メモリ・デバイス（例えば、カード、スティック(stick)）を含むことができるが、それに限定されない。さらに、ローカル・エリア・ネットワーク（ＬＡＮ）またはインターネットのようなネットワークにアクセスすることにおいて、あるいは電子メールを送受信することにおいて使用されるもののようなコンピュータ可読電子データを伝送するために、搬送波が使用され得ることを認識すべきである。当然ながら、当業者は、開示された複数の態様の技術的範囲を逸脱することなくこの構成に多くの修正がなされ得ることを認識するであろう。
【０１０２】
ここに開示されたものに関連して記載された１つの方法またはアルゴリズムの複数のステップは、ハードウェアにおいて、プロセッサによって実行されるソフトウェア・モジュールにおいて、あるいは該２者の組合せで直接具体化されることができる。ソフトウェア・モジュールは、ＲＡＭメモリ、フラッシュ・メモリ、ＲＯＭメモリ、ＥＰＲＯＭメモリ、ＥＥＰＲＯＭメモリ、複数のレジスタ、ハード・ディスク、取外し可能ディスク、ＣＤ−ＲＯＭ、あるいは技術的に知られている任意の他の形態の記憶媒体において存在し得る。典型的な記憶媒体は、プロセッサが該記憶媒体から情報を読取り、及び該記憶媒体に情報を書込むことができるように、該プロセッサに結合される。別の実施形態においては、該記憶媒体は該プロセッサに内蔵されていることができる。該プロセッサと該記憶媒体はＡＳＩＣ中に存在し得る。該ＡＳＩＣはユーザ端末中に存在し得る。別の実施形態では、該プロセッサと該記憶媒体は、ユーザ端末中の複数のディスクリート(discrete)なコンポーネントとして存在し得る。
【０１０３】
開示された複数の態様の先の説明は、当業者が本願の開示を作成しあるいは使用することを可能にするために提供されている。これらの態様への様々な修正は当業者に容易に明らかになり、また、ここに定義された複数の一般的な原理は、該開示の技術的範囲を逸脱せずに他の複数の実施形態に適用可能である。したがって、ここに開示されているものは、ここに示された複数の実施形態に限定されるものではなく、ここに開示されている複数の原理及び複数の新しい特徴と一致する非常に広い技術的範囲を与えられる。
【０１０４】
開示されたサブジェクト・マターにしたがってインプリメントされ得る複数の方法は、上記に説明された典型的なシステムを考慮して、いくつかのフロー図を参照して説明されている。説明を簡単にするために該複数の方法は一連のブロックとして図示され、あるいは説明されているが、いくつかのブロックがここに図示されあるいは説明されたものとは異なる順番で発生し、及び、または、他の複数のブロックと同時に発生し得るため、本願請求項に記載されたサブジェクト・マターは、該複数のブロックの順番によって制限されないことが理解され、あるいは認識されるであろう。さらに、示されている複数のブロックの全てが、ここに説明された複数の方法をインプリメントするように要求されるわけではない。さらに、ここに開示された複数の方法は、複数のコンピュータにこのような複数の方法を移送すること及び転送することを容易にするように、１つのある製造品上に格納されることができることがさらに認識されるべきである。ここにおいて使用されている製造品という用語は、任意のコンピュータ可読デバイス、キャリアあるいは媒体からアクセス可能なコンピュータ・プログラムを含むように意図されている。
【０１０５】
全体あるいは一部がここにおいて参考文献として組み込まれていると記載されたいずれの特許、公報、あるいは他の開示資料は、該組み込まれた資料がこの開示の中に記載された他の開示資料、複数のステートメント(statements)、複数の既存の定義と矛盾しない程度においてのみ、ここにおいて組み込まれていることが認識されるべきである。ここにおいて明示的に記載されている該開示は、そういうものとして、及び必要である限り、ここにおいて参考文献として組み込まれたいずれの矛盾する資料に取って代わる。ここにおいて参考文献として組み込まれていると記載されているが、しかしここに記載された複数の既存の定義、複数のステートメント、あるいは他の開示資料と矛盾するいずれの資料、あるいはその一部分は、その組み込まれた資料と該既存の開示資料との間に矛盾が生じない程度まで組み込まれるであろう。
【図１】
2012501602.tif 000005
【図２】
2012501602.tif 000006
【図３】
2012501602.tif 000007
【図４】
2012501602.tif 000008
【図５】
2012501602.tif 000009
【図６】
2012501602.tif 000010
【図７】
2012501602.tif 000011
【図８】
2012501602.tif 000012
【図９】
2012501602.tif 000013
【図１０】
2012501602.tif 000014
【図１１】
2012501602.tif 000015
【図１２】
2012501602.tif 000016
【図１３】
2012501602.tif 000017
【図１４】
2012501602.tif 000018
【図１５】
2012501602.tif 000019
【手続補正書】
【提出日】平成23年6月30日(2011.6.30)
【手続補正１】
【補正対象書類名】明細書
【補正対象項目名】００８０
【補正方法】変更
【補正の内容】
【００８０】
Ａｃｋ／Ｎａｋチェーン１１３０は１ビットの肯定応答データ１１３２を受け取り、繰り返し(repetition)コンポーネント（１２Ｘ）１１３４を通って１２の記号１１３６を生成し、２進位相偏移変調（ＢＰＳＫ）変調コンポーネント１１３８を通って１２のＢＰＳＫ記号１１４０を生成し、Ａｃｋ Ｔｘ利得コンポーネント１１４２に進み、該コンポーネント１１４２の利得はＣＱＩ Ｔｘ利得コンポーネント１１１６と協力している。該コンポーネント１１４２の出力は、シーケンス拡散コンポーネント（すなわち、循環シフトＹ、ＳＰ＝１２）１１４４を通過し、その出力は加算器１１２０に進んでＬ−ＦＤＭ（局所化された周波数分割多重化）記号当り１２の記号１１４６を生成し、これが時分割多重化（ＴＤＭ）マルチプレクサ１１４８に進むと、それはＰＵＳＣＨのデータ・ストリーム中にパンクチャされることができる。
【国際調査報告】
2012501602.tif 000020
2012501602.tif 000021
2012501602.tif 000022